(57)【特許請求の範囲】
【請求項１】
光パスクロスコネクト装置（ＯＰＸＣ）と電気クロスコネクト装置（ＥＸＣ）からなる光伝送システムにおいて、
光パスクロスコネクト装置と電気クロスコネクト装置間を、現用系と予備系の複数の入出力インタフェースリンクで接続し、
現用系及び予備系のインタフェースリンクを介して光パスクロスコネクト装置から電気クロスコネクト装置にそれぞれ現用系及び予備系の光信号を入力し、電気クロスコネクト装置で現用及び予備の無瞬断伝送路切り替えを行うことを特徴とする光伝送システム。
【請求項２】
電気クロスコネクト装置は、前記インタフェースリンクを介してそれぞれ入力される現用系光信号及び予備系光信号を電気信号に変換する光電変換部、現用系及び予備系の信号位相が一致するように電気的に位相調整する位相調整部、位相調整された現用系信号及び予備系信号の一方を選択して現用系と予備系の切り替えを行う切り替え手段を備えたことを特徴とする請求項１記載の光伝送システム。
【請求項３】
光パスクロスコネクト装置は空間光スイッチを備えると共に、複数の入出力現用系光伝送路と複数の入出力予備系光伝送路と電気クロスコネクト装置との間に設けられた複数の入出力現用系インタフェースリンク及び電気クロスコネクト装置との間に設けられた複数の入出力予備系インタフェースリンクを収容し、現用系光伝送路から入ってきた光信号を現用系光伝送路や現用系インタフェースリンクにルーチングし、予備系光伝送路から入ってきた光信号を予備系光伝送路や予備系インタフェースリンクにルーチングし、現用系インタフェースリンクから入ってきた光信号を現用系光伝送路にルーチングし、予備系インタフェースリンクから入ってきた光信号を予備系光伝送路にそれぞれルーチングすることを特徴とする請求項１記載の光伝送システム。
【請求項４】
前記光パスクロスコネクト装置を構成する空間光スイッチを現用系と予備系に分割して構成することを特徴とする請求項３記載の光伝送システム。
【請求項５】
電気クロスコネクト装置の出力用のインタフェースリンクに光信号を現用系及び予備系に分配する光分配器又は光分配スイッチを設け、
光パスクロスコネクト装置は空間光スイッチを備えると共に、複数の入出力現用系光伝送路と複数の入出力予備系光伝送路と電気クロスコネクト装置への複数の出力用現用系及び予備系インタフェースリンクと光分配器又は光分配スイッチに接続された複数の入力用現用系及び予備系インタフェースリンクを収容し、現用系光伝送路から入ってきた光信号を現用系光伝送路や現用系インタフェースリンクにルーチングし、予備系光伝送路から入ってきた光信号を予備系光伝送路や予備系インタフェースリンクにルーチングし、前記光分配器又は光分配スイッチに接続された現用系インタフェースリンクより入力された光信号を現用系光伝送路にルーチングし、前記光分配器又は光分配スイッチに接続された予備系インタフェースリンクから入ってきた光信号を予備系光伝送路にそれぞれルーチングすることを特徴とする請求項１記載の光伝送システム。
【請求項６】
前記光パスクロスコネクト装置を構成する空間光スイッチを現用系と予備系に分割して構成することを特徴とする請求項５記載の光パスクロスコネクト装置。
【請求項７】
光パスクロスコネクト装置は分配機能を持った空間光スイッチを備えると共に、複数の入出力現用系光伝送路、複数の入出力予備系光伝送路、電気ククロスコネクト装置との間に設けられた複数の入出力現用系インタフェースリンク、電気クロスコネクト装置への複数の出力用の予備系インタフェースリンクを収容し、現用系光伝送路から入ってきた光信号を現用系光伝送路や現用系インタフェースリンクにルーチングし、予備系光伝送路から入ってきた光信号を予備系光伝送路や予備系インタフェースリンクにルーチングし、現用系インタフェースリンクから入ってきた光信号を現用系及び予備系光伝送路にルーチングすることを特徴とする請求項１記載の光伝送システム。
【請求項８】
光パスクロスコネクト装置と電気クロスコネクト装置からなる光伝送システムにおいて、
光パスクロスコネクト装置は、波長多重光信号を個々の波長の光信号に分波する分波器と、分波された各光信号を所定の出方路にスイッチングする空間光スイッチと、同一出方路向けの光信号を合流する合波器を備え、又、複数の波長多重光信号入出力用の現用系光伝送路と複数の波長多重光信号入出力用の予備系光伝送路と電気クロスコネクト装置との間に設けられた複数の波長多重光信号入出力用の現用系インタフェースリンクと電気クロスコネクト装置との間に設けられた複数の波長多重光信号入出力用の予備系インタフェースリンクをそれぞれ収容し、
電気クロスコネクト装置は、現用系及び予備系の送信側のそれぞれに出力波長が可変の複数の電光変換部と各電光変換部から出力される光信号を合流して前記入力用の現用系及び予備系インタフェースリンクに送出する光合流器を備え、又、現用系及び予備系の受信側のそれぞれに光パスクロスコネクト装置より前記現用系及び予備系インタフェースリンクを介して入力される波長多重光信号を個々の波長の光信号に分波する分波器と各光信号を電気信号に変換する複数の光電変換部を備え、更に、現用系及び予備系の光電変換部から出力される現用系及び予備系信号の切り替えを行う現用／予備切替手段を備え、
光パスクロスコネクト装置は、１）現用系光伝送路から入ってきた波長多重光信号を波長毎に現用系光伝送路や現用系インタフェースリンクにルーチングし、２）予備系光伝送路から入ってきた波長多重光信号を波長毎に予備系光伝送路や予備系インタフェースリンクにルーチングし、３）現用系インタフェースリンクから入ってきた波長多重光信号を波長毎に現用系光伝送路にルーチングし、４）予備系インタフェースリンクから入ってきた波長多重光信号を波長毎に予備系光伝送路にそれぞれルーチングし、
電気クロスコネクト装置は切替指示により現用及び予備の無瞬断伝送路切替を行うことを特徴とする光伝送システム。
【請求項９】
前記現用系及び予備系の光電変換部と現用／予備切替手段の間に、現用系及び予備系の信号位相が一致するように電気的に位相調整する位相調整部を設け、現用／予備切替手段は位相調整された現用系信号及び予備系信号の一方を選択して現用系と予備系の切り替えを行うことを特徴とする請求項８記載の光伝送システム。
【請求項１０】
光パスクロスコネクト装置を現用系と予備系に分割して構成したことを特徴とする請求項８記載の光伝送システム。
【請求項１１】
光パスクロスコネクト装置と電気クロスコネクト装置からなる光伝送システムにおいて、
光パスクロスコネクト装置は、波長多重光信号を個々の波長の光信号に分波する分波器と、分波された各光信号を所定の出方路にスイッチングする空間光スイッチと、同一出方路向けの光信号を合流する合波器を備え、又、複数の波長多重光信号入出力用の現用系光伝送路と波長多重光信号入出力用の予備系光伝送路と電気クロスコネクト装置との間に設けられた複数の波長多重光信号入出力用の現用系インタフェースリンクと電気クロスコネクト装置との間に設けられた複数の波長多重光信号入出力用の予備系インタフェースリンクをそれぞれ収容し、
電気クロスコネクト装置は、現用系の送信側に出力波長が可変の複数の電光変換部と各電光変換部から出力される光信号を合流して前記入力用の現用系及び予備系インタフェースリンクに送出する光合流器を備え、又、現用系の受信側に現用系インタフェースリンクから入力される波長多重光信号を個々の波長の光信号に分波する分波器と、予備系の受信側に予備系インタフェースリンクから入力される波長多重光信号を分岐する分岐器と、分岐された波長多重光信号より所定の波長を有する光信号を抽出する可変波長フィルタと、前記分波器及び可変波長フィルタより出力される光信号を電気信号に変換する複数の現用系及び予備系の光電変換部を備え、更に、現用系及び予備系の光電変換部から出力される現用系信号及び予備系信号の切り替えを行う現用／予備切替手段を備え、
光パスクロスコネクト装置は、１）現用系光伝送路から入ってきた波長多重光信号を波長毎に現用系光伝送路や現用系インタフェースリンクにルーチングし、２）予備系光伝送路から入ってきた波長多重光信号を波長毎に予備系光伝送路や予備系インタフェースリンクにルーチングし、３）現用系インタフェースリンクから入ってきた波長多重光信号を波長毎に現用系光伝送路にルーチングし、４）予備系インタフェースリンクから入ってきた波長多重光信号を波長毎に予備系光伝送路にそれぞれルーチングし、
電気クロスコネクト装置は切替指示により現用及び予備の無瞬断伝送路切替を行うことを特徴とする光伝送システム。
【請求項１２】
光パスクロスコネクト装置を現用系と予備系に分割して構成したことを特徴とする請求項１１記載の光伝送システム。
【請求項１３】
光パスクロスコネクト装置と電気クロスコネクト装置からなる光伝送システムにおいて、
光パスクロスコネクト装置は、波長多重光信号を個々の波長の光信号に分波する分波器と、分波された各光信号を所定の出方路にスイッチングする空間光スイッチと、スイッチングされた信号の波長を所定の波長に変換する波長変換器と、同一出方路向けの光信号を合流する合波器を備え、又、複数の波長多重光信号入出力用の現用系光伝送路と波長多重光信号入出力用の予備系光伝送路と電気クロスコネクト装置との間に設けられた複数の波長多重光信号入出力用の現用系インタフェースリンクと電気クロスコネクト装置との間に設けられた複数の波長多重光信号入出力用の予備系インタフェースリンクをそれぞれ収容し、
電気クロスコネクト装置は、現用系及び予備系の送信側のそれぞれに出力波長が固定の複数の電光変換部と各電光変換部から出力される光信号を合流して前記入力用の現用系及び予備系インタフェースリンクに送出する光合流器を備え、又、現用系及び予備系の受信側のそれぞれに前記光パスクロスコネクト装置より現用系及び予備系のインタフェースリンクを介して入力される波長多重光信号を個々の波長の光信号に分波する分波器と各光信号を電気信号に変換する複数の光電変換部を備え、更に、現用系及び予備系の光電変換部から出力される現用系及び予備系信号の切り替えを行う現用／予備切替手段を備え、
光パスクロスコネクト装置は、１）現用系光伝送路から入ってきた波長多重光信号を波長毎に現用系光伝送路や現用系インタフェースリンクにルーチングし、２）予備系光伝送路から入ってきた波長多重光信号を波長毎に予備系光伝送路や予備系インタフェースリンクにルーチングし、３）現用系インタフェースリンクから入ってきた波長多重光信号を波長毎に現用系光伝送路にルーチングし、４）予備系インタフェースリンクから入ってきた波長多重光信号を波長毎に予備系光伝送路にそれぞれルーチングし、
電気クロスコネクト装置は切替指示により現用及び予備の無瞬断伝送路切替を行うことを特徴とする光伝送システム。
【請求項１４】
前記現用系及び予備系の光電変換部と現用／予備切替手段の間に、現用系及び予備系の信号位相が一致するように電気的に位相調整する位相調整部を設け、現用／予備切替手段は位相調整された現用系信号及び予備系信号の一方を選択して現用系と予備系の切り替えを行うことを特徴とする請求項１３記載の光伝送システム。
【請求項１５】
光パスクロスコネクト装置を現用系と予備系に分割して構成したことを特徴とする請求項１３記載の光伝送システム。
【請求項１６】
光パスクロスコネクト装置と電気クロスコネクト装置からなる光伝送システムにおいて、
光パスクロスコネクト装置は、波長多重光信号を個々の波長の光信号に分波する分波器と、分波された各光信号を所定の出方路にスイッチングする空間光スイッチと、同一出方路向けの光信号を合流する合波器を備え、又、複数の波長多重光信号入出力用の現用系光伝送路と、複数の波長多重光信号入出力用の予備系光伝送路と、電気クロスコネクト装置との間に設けられた複数の波長多重光信号出力用の現用系及び予備系のインタフェースリンクと、光分配器あるいは光分配スイッチに接続された複数の波長多重光信号入力用の現用系及び予備系インタフェースリンクをそれぞれ収容し、
電気クロスコネクト装置は、現用系の光信号送信側に出力波長が可変の複数の電光変換部と各電光変換部から出力される光信号を合流して前記光分配器あるいは光分配スイッチに送出する光合流器を備え、又、光信号受信側に光パスクロスコネクト装置より現用系及び予備系インタフェースリンクを介して入力される現用及び予備の波長多重光信号を個々の波長の光信号に分波する分波器と各光信号を電気信号に変換する複数の光電変換部を備え、更に、現用系及び予備系の光電変換部から出力される現用系及び予備系信号の切り替えを行う現用／予備切替手段を備え、
光パスクロスコネクト装置は、１）現用系光伝送路から入ってきた波長多重光信号を波長毎に現用系光伝送路や現用系インタフェースリンクにルーチングし、２）予備系光伝送路から入ってきた波長多重光信号を波長毎に予備系光伝送路や予備系インタフェースリンクにルーチングし、３）現用系インタフェースリンクから入ってきた波長多重光信号を波長毎に現用系光伝送路にルーチングし、４）予備系インタフェースリンクから入ってきた波長多重光信号を波長毎に予備系光伝送路にそれぞれルーチングし、
電気クロスコネクト装置は切替指示により現用及び予備の無瞬断伝送路切替を行うことを特徴とする光伝送システム。
【請求項１７】
前記現用系及び予備系の光電変換部と現用／予備切替手段の間に、現用系及び予備系の信号位相が一致するように電気的に位相調整する位相調整部を設け、現用／予備切替手段は位相調整された現用系信号及び予備系信号の一方を選択して現用系と予備系の切り替えを行うことを特徴とする請求項１６記載の光伝送システム。
【請求項１８】
光パスクロスコネクト装置を現用系と予備系に分割して構成したことを特徴とする請求項１６記載の光伝送システム。
【請求項１９】
光パスクロスコネクト装置と電気クロスコネクト装置からなる光伝送システムにおいて、
光パスクロスコネクト装置は、波長多重光信号を個々の波長の光信号に分波する分波器と、分波された各光信号を所定の出方路にスイッチングする空間光スイッチと、スイッチングされた光信号の波長を所定の波長に変換する波長変換器と、同一出方路向けの光信号を合流する合波器を備え、又、複数の波長多重光信号入出力用の現用系光伝送路と、波長多重光信号入出力用の予備系光伝送路と、電気クロスコネクト装置との間に設けられた複数の波長多重光信号出力用の現用系及び予備系のインタフェースリンクと、光分配器あるいは光分配スイッチに接続された複数の波長多重光信号入力用の現用系及び予備系インタフェースリンクをそれぞれ収容し、
電気クロスコネクト装置は、現用系の光信号送信側に出力波長が固定の複数の電光変換部と各電光変換部から出力される光信号を合流して前記光分配器あるいは光分配スイッチに送出する光合流器を備え、又、光信号受信側に光パスクロスコネクト装置より現用系及び予備系インタフェースリンクを介して入力される現用及び予備の波長多重光信号を個々の波長の光信号に分波する分波器と各光信号を電気信号に変換する複数の光電変換部を備え、更に、現用系及び予備系の光電変換部から出力される現用系及び予備系信号の切り替えを行う現用／予備切替手段を備え、
光パスクロスコネクト装置は、１）現用系光伝送路から入ってきた波長多重光信号を波長毎に現用系光伝送路や現用系インタフェースリンクにルーチングし、２）予備系光伝送路から入ってきた波長多重光信号を波長毎に予備系光伝送路や予備系インタフェースリンクにルーチングし、３）現用系インタフェースリンクから入ってきた波長多重光信号を波長毎に現用系光伝送路にルーチングし、４）予備系インタフェースリンクから入ってきた波長多重光信号を波長毎に予備系光伝送路にそれぞれルーチングし、
電気クロスコネクト装置は切替指示により現用及び予備の無瞬断伝送路切替を行うことを特徴とする光伝送システム。
【請求項２０】
前記現用系及び予備系の光電変換部と現用／予備切替手段の間に、現用系及び予備系の信号位相が一致するように電気的に位相調整する位相調整部を設け、現用／予備切替手段は位相調整された現用系信号及び予備系信号の一方を選択して現用系と予備系の切り替えを行うことを特徴とする請求項１９記載の光伝送システム。
【請求項２１】
光パスクロスコネクト装置を現用系と予備系に分割して構成したことを特徴とする請求項１９記載の光伝送システム。
【請求項２２】
光パスクロスコネクト装置と電気クロスコネクト装置からなる光伝送システムにおいて、
光パスクロスコネクト装置は、波長多重光信号を個々の波長の光信号に分波する分波器と、分配機能を備えると共に前記分波された各光信号を所定の出方路にスイッチングする空間光スイッチと、同一出方路向けの光信号を合流する合波器を備え、又、複数の波長多重光信号入出力用の現用系光伝送路と、複数の波長多重光信号入出力用の予備系光伝送路と、電気クロスコネクト装置との間に設けられた複数の波長多重光信号出力用の現用系及び予備系インタフェースリンクと、電気クロスコネクト装置との間に設けられた複数の波長多重光信号入力用の現用系インタフェースリンクをそれぞれ収容し、
電気クロスコネクト装置は、光信号送信側に出力波長が可変の複数の電光変換部と各電光変換部から出力される光信号を合流して前記現用系インタフェースリンクに送出する光合流器を備え、又、光信号受信側に光パスクロスコネクト装置より現用系及び予備系インタフェースリンクを介して入力される現用及び予備の波長多重光信号を個々の波長の光信号に分波する分波器と各光信号を電気信号に変換する複数の光電変換部を備え、更に、現用系及び予備系の光電変換部から出力される現用系及び予備系信号の切り替えを行う現用／予備切替手段を備え、
光パスクロスコネクト装置は、１）現用系光伝送路から入ってきた波長多重光信号を波長毎に現用系光伝送路や現用系インタフェースリンクにルーチングし、２）予備系光伝送路から入ってきた波長多重光信号を波長毎に予備系光伝送路や予備系インタフェースリンクにルーチングし、３）現用系インタフェースリンクから入ってきた波長多重光信号を分配機能により波長毎に現用系光伝送路と予備系光伝送路にそれぞれルーチングし、
電気クロスコネクト装置は切替指示により現用及び予備の無瞬断伝送路切替を行うことを特徴とする光伝送システム。
【請求項２３】
前記現用系及び予備系の光電変換部と現用／予備切替手段の間に、現用系及び予備系の信号位相が一致するように電気的に位相調整する位相調整部を設け、現用／予備切替手段は位相調整された現用系信号及び予備系信号の一方を選択して現用系と予備系の切り替えを行うことを特徴とする請求項２２記載の光伝送システム。
【請求項２４】
光パスクロスコネクト装置と電気クロスコネクト装置からなる光伝送システムにおいて、
光パスクロスコネクト装置は、波長多重光信号を個々の波長の光信号に分波する分波器と、分配機能を備えると共に前記分波された各光信号を所定の出方路にスイッチングする空間光スイッチと、スイッチングされた信号の波長を所定の波長に変換する波長変換器と、同一出方路向けの光信号を合流する合波器を備え、又、複数の波長多重光信号入出力用の現用系光伝送路と、複数の波長多重光信号入出力用の予備系光伝送路と、電気クロスコネクト装置との間に設けられた複数の波長多重光信号出力用の現用系及び予備系インタフェースリンクと、電気クロスコネクト装置との間に設けられた複数の波長多重光信号入力用の現用系インタフェースリンクをそれぞれ収容し、
電気クロスコネクト装置は、光信号送信側に出力波長が固定の複数の電光変換部と各電光変換部から出力される光信号を合流して前記現用系インタフェースリンクに送出する光合流器を備え、又、光信号受信側に光パスクロスコネクト装置から現用系及び予備系インタフェースリンクを介して入力される現用及び予備の波長多重光信号を個々の波長の光信号に分波する分波器と各光信号を電気信号に変換する複数の光電変換部を備え、更に、現用系及び予備系の光電変換部から出力される現用系及び予備系信号の切り替えを行う現用／予備切替手段を備え、
光パスクロスコネクト装置は、１）現用系光伝送路から入ってきた波長多重光信号を波長毎に現用系光伝送路や現用系インタフェースリンクにルーチングし、２）予備系光伝送路から入ってきた波長多重光信号を波長毎に予備系光伝送路や予備系インタフェースリンクにルーチングし、３）現用系インタフェースリンクから入ってきた波長多重光信号を分配機能により波長毎に現用系光伝送路と予備系光伝送路にそれぞれルーチングし、
電気クロスコネクト装置は切替指示により現用及び予備の無瞬断伝送路切替を行うことを特徴とする光伝送システム。
【請求項２５】
前記現用系及び予備系の光電変換部と現用／予備切替手段の間に、現用系及び予備系の信号位相が一致するように電気的に位相調整する位相調整部を設け、現用／予備切替手段は位相調整された現用系信号及び予備系信号の一方を選択して現用系と予備系の切り替えを行うことを特徴とする請求項２４記載の光伝送システム。
【発明の詳細な説明】
【０００１】
【発明の属する技術分野】
本発明は光パスクロスコネクト装置（ＯＰＸＣ）と電気クロスコネクト装置（ＥＸＣ）からなる光伝送システムに係わり、特に、無瞬断で伝送路切り替えが可能な光伝送システムに関する。
【０００２】
【従来の技術】
情報の高速化、大容量化に伴い、光技術を用いた伝送システムが将来の広帯域伝送システムとして期待されている。
図３９は光ネットワークの説明図、図４０は光パスクロスコネクト装置（ＯＰＸＣ）と電気クロスコネクト装置（ＥＸＣ）間の接続関係図である。５１は光パスクロスコネクト装置（ＯＰＸＣ）、５２は波長λ0の光信号を伝送する光伝送路、５３は電気クロスコネクト装置（ＥＸＣ）、５４は交換機（ＳＷ）、５５は電気信号あるいは光信号の伝送路である。光パスクロスコネクト装置５１は、複数の現用系光伝送路（ｋ１）と複数の予備系光伝送路（ｋ２）と電気クロスコネクト装置との間の複数のインタフェースリンク（ｋ３）を収容している。電気クロスコネクト装置５３と交換機５４はそれぞれ論理パスＶＰ（Virtual Path)、論理チャネルＶＣ（Virtual Channel)単位でスイッチングを行う。
光パスクロスコネクト装置５１は通常、光伝送路及びインタフェースリンクから入力された光信号の出方路を切り換えて出力すると共に、自ノード宛ての光信号を電気クロスコネクト装置５３に分岐する。
【０００３】
かかる光ネットワークにおいては、伝送路障害時に予備系へパスを切り替えた後（障害復旧後）に元の現用系に無瞬断で切り戻す機能、トラヒックに応じて現用系パスを無瞬断で切り替える機能等が要求される。また、網の保守・運用の観点からも、無瞬断伝送路切り替えの機能が要求される。電気クロスコネクト装置（ＥＸＣ）ではすでに無瞬断で伝送路を切り替える機能が実現されており、当然、電気クロスコネクト装置からの光信号をネットワーク上でルーチングする光パスクロスコネクト装置（ＯＰＸＣ）でも、電気クロスコネクト装置と同様に無瞬断で伝送路を切り換えるようにする必要がある。
【０００４】
図４１は光パスにおける無瞬断伝送路切り替えを考慮した従来の光パスクロスコネクト装置の構成図であり、５１は光パスクロスコネクト装置（ＯＰＸＣ）、５３は電気クロスコネクト装置（ＥＸＣ）である。光パスクロスコネクト装置５１には現用系光伝送路５２ａ1，５２ａ2と予備系光伝送路５２ｂ1，５２ｂ2が収容され、更には電気クロスコネクト装置５３との間に現用系インタフェースリンク５５，５６が収容されている。光パスクロスコネクト装置５１は、空間光スイッチ５１ａと多数の光位相調整用バッファ５１ｂを備えている。電気クロスコネクト装置５３は電気信号を光信号に変換して現用インタフェースリンク５５に送出する電／光変換機能と、光パスクロスコネクト装置５１からインタフェースリンク５６を介して入力される光信号を電気信号に変換してＡＴＭスイッチ部（図示せず）に入力する光／電変換機能を具備している。
【０００５】
図４２は従来の無瞬断伝送路切替の動作説明図であり、図４１に示す構成の装置ＯＡ１，ＯＡ２が２組あり、それぞれの装置間でデータ伝送を行なう場合を示している。電気クロスコネクト装置ＥＸＣ１と光パスクロスコネクト装置ＯＰＸＣ１よりなる第１の装置ＯＡ１と、電気クロスコネクト装置ＥＸＣ２と光パスクロスコネクト装置ＯＰＸＣ２よりなる第２の装置ＯＡ２とは現用系光伝送路５２ａと予備系光伝送路５２ｂで接続されている。
【０００６】
各光パスクロスコネクト装置ＯＰＸＣ１，ＯＰＸＣ２は光伝送路から入力された光信号を所望の出力伝送路或いは電気クロスコネクト装置ＥＸＣ１，ＥＸＣ２にルーチングし、また、電気クロスコネクト装置ＥＸＣ１，ＥＸＣ２からの光信号を所望の出力伝送路にルーチングする。例えば、第１の装置ＯＡ１の電気クロスコネクト装置ＥＸＣ１から入力インタフェースリンク５５を介して入力された光信号は、光パスクロスコネクト装置ＯＰＸＣ１で２分岐され、現用系光伝送路５２ａ及び予備系光伝送路５２ｂに出力され、第２の装置ＯＡ２に至る。第２の装置ＯＡ２の光パスクロスコネクト装置ＯＰＸＣ２は現用系光伝送路５２ａから入力された光信号を電気クロスコネクト装置ＥＸＣ２への出力インタフェースリンク５６にルーチングする。以上により、第１の装置ＯＡ１の電気クロスコネクト装置ＥＸＣ１からの信号が第２の装置ＯＡ２の電気クロスコネクト装置ＥＸＣ２に送信される。
【０００７】
かかる状態において、現用系伝送路５２ａに流れている信号を予備系光伝送路５２ｂに切替える場合、光パスクロスコネクト装置ＯＰＸＣ２は、現用／予備の切替を行い、予備系光伝送路５２ｂから入力された光信号を電気クロスコネクト装置ＥＸＣ２への出力インタフェースリンク５６にルーチングする。これにより、無瞬断で伝送路の切替が行われ、電気クロスコネクト装置ＥＸＣ１からの信号は電気クロスコネクト装置ＥＸＣ２に途切れることなく送信される。
【０００８】
【発明が解決しようとする課題】
ところで、現用／予備の切替前と切替後において、２系路間の光路長を等しくする必要がある。このため、従来は光パスクロスコネクト装置ＯＰＸＣ２に設けられた光位相調整用バッファ５１ｂで光路長が等しくなるように位相調整し、送受の光パスクロスコネクト装置で現用／予備を同期して切り替えるようにしている。かかる従来の光伝送路の切り替え方法では、光パスクロスコネクト装置ＯＰＸＣにおいて光のままで光信号の位相調整をする必要があり、また光信号に対して符号に誤りがない程度に高速に切り替える必要があり、その実現が非常に困難であった。
【０００９】
以上から、本発明の目的は、光信号のままで位相調整をする必要がない光伝送システムを提供することである。
本発明の別の目的は、電気処理により光伝送路の無瞬断切り替えができる光伝送システムを提供することである。
本発明の目的は、光伝送路の無瞬断切替において、光パスクロスコネクト装置に光位相調整機能や高速の切り替え動作が不要な光伝送システムを提供することである。
本発明の目的は、伝送路が波長多重されている場合であっても、電気処理により光伝送路の無瞬断切り替えができ、しかも、光パスクロスコネクト装置に光位相調整機能や高速の切り替え動作が不要な光伝送システムを提供することである。
【００１０】
【課題を解決するための手段】
（ａ）本発明の第１の解決手段
図１は本発明の第１の原理説明図であり、１，２は光伝送システムであり、それぞれ光パスクロスコネクト装置１０（ＯＰＸＣ１，ＯＰＸＣ２）及び電気クロスコネクト装置２０（ＥＸＣ１，ＥＸＣ２）を備えている。光パスクロスコネクト装置１０（ＯＰＸＣ１，ＯＰＸＣ２）はそれぞれ１対１型空間光スイッチ或いは１対Ｎ型空間光スイッチで構成され、入出力現用系光伝送路１３、１５、入出力予備系光伝送路１４、１６、電気クロスコネクト装置２０との間の入出力現用インタフェースリンク２１ａ，２２ａ、入出力予備系インタフェースリンク２１ｂ，２２ｂをそれぞれ収容している。
【００１１】
電気クロスコネクト装置２０（ＥＸＣ１，ＥＸＣ２）は、現用系及び予備系のインタフェースリンク２２ａ、２２ｂから入力される光信号を電気信号に変換する光電変換部（Ｏ／Ｅ変換部）２０ａ、現用系び予備系の両経路間の遅延時間差を検出し、信号位相が一致するように光電変換部から出力される電気信号の位相を調整する位相調整部２０ｂ、現用系及び予備系の一方の電気信号をセレクトするセレクタ２０ｃ、光パスクロスコネクト装置（ＯＰＸＣ）１０や他の電気クロスコネクト装置（ＥＸＣ）２０及び交換機（ＳＷ）より入力されるＡＴＭセルを所定の出線にルーチングするＡＴＭスイッチ２０ｄ、光パスクロスコネクト装置へ送信する電気信号を現用系／予備系に分配する分配回路２０ｅ、現用系及び予備系の電気信号を光信号に変換して現用系及び予備系のインタフェースリンク２１ａ，２１ｂに出力する電光変換部（Ｅ／Ｏ変換部）２０ｆを備えている。
【００１２】
第１の光伝送システム１の電気クロスコネクト装置（ＥＸＣ１）より第２の光伝送システム２の電気クロスコネクト装置（ＥＸＣ２）に信号を伝送する場合、電気クロスコネクト装置（ＥＸＣ１）は現用系／予備系の光信号を現用系／予備系のインタフェースリンク２１ａ，２１ｂに分配し、光パスクロスコネクト装置ＯＰＸＣ１は現用系インタフェースリンク２１ａから入力した光信号を現用系光伝送路３１にルーチングし、予備系インタフェースリンク２１ｂから入力した光信号を予備系光伝送路３２にルーチングする。第２の光伝送システム２の光パスクロスコネクト装置ＯＰＸＣ２は現用系光伝送路３１から入力した光信号を現用系インタフェースリンク２２ａにルーチングし、予備系光伝送路３２から入力した光信号を予備系インタフェースリンク２２ｂにルーチングし、これにより電気クロスコネクト装置ＥＸＣ２に入力する。電気クロスコネクト装置ＥＸＣ２は現用系インタフェースリンク２２ａから入力された信号を選択し、ＡＴＭスイッチ２０ｄで所望の出線にルーチングする。
【００１３】
かかる状態で、現用系光伝送路３１に流れている信号を予備系光伝送路３２に切替える場合、第２の光伝送システム２の電気クロスコネクト装置ＥＸＣ２は切替指示に基づいて予備系インタフェースリンク２２ｂより入力された信号を選択し、該信号をＡＴＭスイッチ２０ｄで所望の出線にルーチングする。この場合、位相調整部２０ｂにおいて常時、現用系と予備系の信号位相が一致するように位相調整されているから、セルロスなく無瞬断で現用／予備の切り替えができる。
【００１４】
図１では隣接する光伝送システム１、２の一方の電気クロスコネクト装置ＥＸＣ１から他方の電気クロスコネクト装置ＥＸＣ２に信号を伝送する場合であるが、第１、第２の光伝送システム１，２間に他の光伝送システムが存在する場合であっても、信号を受け取る側の電気クロスコネクト装置の位相調整部２０ｂは常に現用系及び予備系の信号位相が一致するように位相調整しているため、いずれかの現用系光伝送路を切替える場合、上述のようにセルロスなく無瞬断で現用／予備の切り替えができる。
以上のように、光パスクロスコネクト装置１０は、無瞬断切り替えを行わず、電気クロスコネクト装置が無瞬断切り替えを行えるように現用系と予備系のパス張っておくだけでよい。このため、光パスクロスコネクト装置には光位相調整機能や高速な切り替え動作が不要となる。
又、光パスクロスコネクト装置１０を空間光スイッチを用いて構成し、該空間光スイッチを現用系と予備系に分割するようにすれば、光パスクロスコネクト装置内のスイッチ数を減らすことができる。
【００１５】
図１では電気クロスコネクト装置２０において、光パスクロスコネクト装置１０への現用系及び予備系の光信号を作成して現用系及び予備系インタフェースリンク２１ａ、２１ｂに分配した場合である。しかし、光信号を電気クロスコネクト装置１０で現用系及び予備系に分配せず、インタフェースリンクに光分配器又は光分配スイッチを設け、該光分配器あるいは光分配スイッチで光信号を現用系及び予備系インタフェースリンク２１ａ、２１ｂに分配するように構成することもできる。
【００１６】
図１では電気クロスコネクト装置２０において、光パスクロスコネクト装置１０への現用系及び予備系の光信号を作成して現用系及び予備系インタフェースリンク２１ａ、２１ｂに分配した場合である。しかし、光信号を電気クロスコネクト装置１０で現用系及び予備系に分配せず、光パスクロスコネクト装置１０を分配機能を持った空間光スイッチで構成し、該空間スイッチの分配機能により電気クロスコネクト装置２０から入ってきた光信号を現用系及び予備系光伝送路３１，３２に同時にルーチングするように構成することもできる。
【００１７】
（ｂ）本発明の第２の解決手段
図２は本発明の第２の解決手段の原理説明図であり、１００，２００は波長多重光伝送システムであり、それぞれ光パスクロスコネクト装置１０１（ＯＰＸＣ１，ＯＰＸＣ２）及び電気クロスコネクト装置２０１（ＥＸＣ１，ＥＸＣ２）を備え、現用系及び予備系の光伝送路１３１、１３２により相互に接続されている。
光パスクロスコネクト装置１０１（ＯＰＸＣ１，ＯＰＸＣ２）は図示しないが、波長多重光信号λ1〜λn(図ではn=2)を個々の波長の光信号λ1、λ2に分波する分波器と、分波された各光信号を所定の出方路にスイッチングする空間光スイッチと、スイッチングされた光信号の波長を所定の波長に変換する波長変換器と、同一出方路向けの光信号を合流する合波器を備え、更に、複数の波長多重光信号入出力用の現用系光伝送路１３０，１５０と、波長多重光信号入出力用の予備系光伝送路１４０，１６０と、電気クロスコネクト装置との間に設けられた複数の波長多重光信号入出力用の現用系インタフェースリンク１２１ａ，１２２ａと、電気クロスコネクト装置との間に設けられた複数の波長多重光信号入出力用の予備系インタフェースリンク１２１ｂ，１２２ｂをそれぞれ収容している。
【００１８】
電気クロスコネクト装置２０１は、受信側に現用系及び予備系のインタフェースリンク１２２ａ，１２２ｂから入力される波長多重光信号を個々の波長λ1，λ2の光信号に分波する分波器３０１と各光信号を電気信号に変換する複数の光電変換部３０２と、現用系及び予備系の信号位相が一致するように電気的に位相調整する位相調整用バッファ３０３と、現用系及び予備系の信号を切り替えるセレクタ３０４と、光パスクロスコネクト装置（ＯＰＸＣ）や他の電気クロスコネクト装置（ＥＸＣ）及び交換機（ＳＷ）より入力されるＡＴＭセルを所定の出線にルーチングするＡＴＭスイッチ３０５と、光パスクロスコネクト装置への電気信号を現用系／予備系に分配する分配回路３０６と、分配された各現用系及び予備系の電気信号を波長λ1〜λ2の光信号にそれぞれ変換する出力波長が固定の複数の電光変換部３０７と、現用系の各電光変換部から出力される光信号及び予備系の各電光変換部から出力される光信号をそれぞれ合流して現用系及び予備系のインタフェースリンク１２１ａ，１２１ｂに送出する光合流器３０８を備えている。
【００１９】
光パスクロスコネクト装置１０１は、分波、スイッチング、波長変換、合波を適宜行い、１）現用系光伝送路１３０から入ってきた波長多重光信号を波長毎に現用系光伝送路１５０や現用系インタフェースリンク１２２ａにルーチングし、２）予備系光伝送路１４０から入ってきた波長多重光信号を波長毎に予備系光伝送路１６０や予備系インタフェースリンク１２２ｂにルーチングし、３）現用系インタフェースリンク１２１ａから入ってきた波長多重光信号を波長毎に現用系光伝送路１５０にルーチングし、４）予備系インタフェースリンク１２１ｂから入ってきた波長多重光信号を波長毎に予備系光伝送路１６０にそれぞれルーチングし、電気クロスコネクト装置２０１は切替指示に基づいてセレクタ３０４により現用及び予備の無瞬断伝送路切替を行う。
【００２０】
例えば、第１の光伝送システム１００の電気クロスコネクト装置（ＥＸＣ１）より第２の光伝送システム２００の電気クロスコネクト装置（ＥＸＣ２）に波長多重光信号を伝送する場合、電気クロスコネクト装置（ＥＸＣ１）は現用系／予備系の波長多重光信号を現用系／予備系のインタフェースリンク１２１ａ，１２１ｂに分配し、光パスクロスコネクト装置ＯＰＸＣ１は現用系インタフェースリンク１２１ａから入力した光信号を現用系光伝送路１３１にルーチングし、予備系インタフェースリンク１２１ｂから入力した光信号を予備系光伝送路１３２にルーチングする。第２の光伝送システム２００の光パスクロスコネクト装置ＯＰＸＣ２は現用系光伝送路１３１から入力した光信号を現用系インタフェースリンク１２２ａにルーチングし、予備系光伝送路１３２から入力した光信号を予備系インタフェースリンク１２２ｂにルーチングし、これにより電気クロスコネクト装置ＥＸＣ２に入力する。電気クロスコネクト装置ＥＸＣ２は現用系インタフェースリンク１２２ａから入力された波長多重光信号を選択し、ＡＴＭスイッチ３０５で所望の出線にルーチングする。
【００２１】
かかる状態で、現用系光伝送路１３１に流れている信号を予備系光伝送路１３２に切替える場合、第２の光伝送システム２００の電気クロスコネクト装置ＥＸＣ２は予備系インタフェースリンク１２２ｂより入力された波長多重光信号を選択し、該信号をＡＴＭスイッチ３０５で所望の出線にルーチングする。この場合、位相調整用バッファ３０３において常時、現用系と予備系の信号位相が一致するように位相調整されているから、セルロスなく無瞬断で現用／予備の切り替えができる。
以上のように、波長多重光信号を送信する場合であっても、光パスクロスコネクト装置１０１は電気クロスコネクト装置２０１が無瞬断切り替えを行えるように現用系と予備系のパス張っておくだけでよい。このため、光パスクロスコネクト装置１０１には光位相調整機能や高速な切り替え動作が不要となる。
又、光パスクロスコネクト装置１０１を現用系と予備系に分割するようにすれば、光パスクロスコネクト装置内の空間スイッチを構成するスイッチ数を減らすことができる。
【００２２】
図２では光パスクロスコネクト装置１０１を、必要に応じて波長変換するＶＷＰ（Virtual Wavelength Path)方式を採用して構成しているが、入力光信号の波長変換を行わないＷＰ（Wavelength Path)方式を採用することができる。かかるＷＰ方式ではどの波長で送信するかは、その時のネットワークの状況によるので、電気クロスコネクト装置２０１の送信側で波長変換できるようにし、このため電光変換部３０７を出力波長が可変の電光変換器で構成する。又、光パスクロスコネクト装置１０１から電気クロスコネクト装置２０１への現用系及び予備系のインタフェースリンク１２２ａ，１２２ｂに送出する現用系及び予備系光信号の波長が異なる場合がある。そこで、予備系インタフェースリンク１２２ｂに分波器３０１に替えて分岐器と各分岐出力より所定の波長の光信号を抽出する可変波長フィルタを設ける。このようにすれば、予備系の光信号は光電変換部で正しく電気信号に変換され、ブロッキングが防止される。
【００２３】
図２では電気クロスコネクト装置２０１において、光パスクロスコネクト装置１０１へ送信する現用系及び予備系の波長多重光信号を作成して現用系及び予備系インタフェースリンク１２１ａ、１２１ｂに分配した場合である。しかし、波長多重光信号を電気クロスコネクト装置２０１で現用系及び予備系に分配せず、インタフェースリンクに光分配器又は光分配スイッチを設け、該光分配器あるいは光分配スイッチで波長多重光信号を現用系及び予備系インタフェースリンク１２１ａ、１２１ｂに分配するように構成することもできる。
【００２４】
図２では電気クロスコネクト装置２０１において、光パスクロスコネクト装置１０１へ送信する現用系及び予備系の光信号を作成して現用系及び予備系インタフェースリンク１２１ａ、１２１ｂに分配した場合である。しかし、光信号を電気クロスコネクト装置２０１で現用系及び予備系に分配せず、光パスクロスコネクト装置１０１を分配機能を持った空間光スイッチで構成し、該空間スイッチの分配機能により電気クロスコネクト装置２０１から入ってきた光信号を現用系及び予備系光伝送路に同時にルーチングするように構成することもできる。
【００２５】
【発明の実施の形態】
（Ａ）第１実施例
（ａ）光伝送システム
図３は本発明の光伝送システムの実施例を示す構成図であり、１０は光パスクロスコネクト装置（ＯＰＸＣ）、２０は電気クロスコネクト装置（ＥＸＣ）である。光パスクロスコネクト装置１０は１対１型空間光スイッチ或いは１対Ｎ型空間光スイッチで構成され、入出力の現用系光伝送路１３、１５、入出力の予備系光伝送路１４、１６、電気クロスコネクト装置２０との間の入出力の現用インタフェースリンク２１ａ，２２ａ、入出力の予備系インタフェースリンク２１ｂ，２２ｂをそれぞれ収容している。光信号の波長は何れもλ0である。
【００２６】
光パスクロスコネクト装置１０は、▲１▼現用系光伝送路１３から入ってきた光信号を、現用系の出力光伝送路１５や現用系の出力インタフェースリンク２２ａにルーチングし、▲２▼同様に、予備系光伝送路１４から入ってきた光信号を、予備系の出力光伝送路１６や予備系の出力インタフェースリンク２２ｂにルーチングし、▲３▼また、現用系のインタフェースリンク２１ａから入ってきた光信号を現用系の出力光伝送路１５にルーチングし、▲４▼予備系インタフェースリンク２１ｂから入ってきた光信号を予備系の出力光伝送路１６にルーチングする。
【００２７】
（ｂ）空間光スイッチ
図４は光パスクロスコネクト装置１０を構成する１対１型空間光スイッチの構成図であり、ｍ入力、ｍ出力（ｍ＝４）の場合が示されている。Ｓ００〜Ｓ３３は４×４に配列されたクロスバー型の光スイッチ素子であり、各光スイッチ素子は通常状態ではクロス状態になっている。光路交換する場合には所定の１つの光スイッチ素子が制御されてバー状態（スルー状態）とされる。例えば、入力光路＃ｉからの光情報を出力光路＃ｊより出力する場合には光スイッチ素子Ｓｉｊを制御してスルー状態にする。図では入力光路＃０からの光情報を出力光路＃２より出力する場合が示されており、光スイッチ素子Ｓ０２が制御されて点線で示すようにスルー状態にされ、光情報は一点鎖線で示す経路を通って出力光路＃２に出力される。
【００２８】
図５は光パスクロスコネクト装置１０を構成する１対Ｎ型空間光スイッチの構成図であり、４０は光分岐部、４１は光ゲートスイッチ、４２は光合流器である。各光分岐部４１は対応する入力光路（チャネル）から入ってきた信号を４方向に分岐して各ゲートスイッチ４１に入力する。各ゲートスイッチ４１は、ある期間に必ず１個の信号のみを出力するようにスイッチ制御を行い、合流器４２を介して対応の出力光路に光信号を送出する。
【００２９】
（ｃ）電気クロスコネクト装置の構成
図６は電気クロスコネクト装置の構成図であり、２０ａ1，２０ａ2はそれぞれ現用系及び予備系のインタフェースリンク２２ａ、２２ｂから入力される現用系光信号及び予備系光信号をそれぞれ電気信号に変換する光電変換部（Ｏ／Ｅ変換部）、２０ｂは現用系び予備系の両経路間の遅延時間差を検出し、現用系及び予備系の信号位相が一致するようにそれぞれの位相を調整する位相調整部、２０ｃは現用系及び予備系の一方の電気信号をセレクトするセレクタである。位相調整部２０ｂは、現用系の位相調整用バッファ20b-1、予備系の位相調整用バッファ20b-2及び制御部20b-3で構成されており、制御部20b-3は位相調整用バッファ20b-1,20b-2の位相を比較し、両方の位相が揃うように、これらバッファの読み出しタイミングを制御し、位相が揃った時点でセレクタ２０ｃに切替を指示する。これにより、セレクタ２０ｃはビット誤りがない程度に高速に切り替える。２０ｄは光パスクロスコネクト装置（ＯＰＸＣ）１０、他の電気クロスコネクト装置（ＥＸＣ）２０及び交換機（ＳＷ）より入力されるＡＴＭセルを所定の出線にルーチングするＡＴＭスイッチ、２０ｅは光パスクロスコネクト装置への電気信号を現用系／予備系に分配する分配回路、２０ｆ1，２０ｆ2はそれぞれ現用系及び予備系の電気信号を光信号に変換して現用系及び予備系のインタフェースリンク２１ａ，２１ｂに出力する電光変換部（Ｅ／Ｏ変換部）である。
【００３０】
（ｄ）伝送路切替動作
図７は第１実施例における伝送路切替動作説明図であり、１，２はそれぞれ図３に示す構成を備えた光伝送システムであり、光パスクロスコネクト装置１０（ＯＰＸＣ１，ＯＰＸＣ２）及び電気クロスコネクト装置２０（ＥＸＣ１，ＥＸＣ２）を備えている。光伝送システム１，２の光パスクロスコネクト装置ＯＰＸＣ１，ＯＰＸＣ２間は現用系光伝送路３１及び予備系光伝送路３２により接続されている。
【００３１】
・通常動作
第１の光伝送システム１の電気クロスコネクト装置（ＥＸＣ１）より第２の光伝送システムの電気クロスコネクト装置（ＥＸＣ２）に信号を伝送する場合について説明する。尚、コネクション制御により現用系及び予備系のパスはすでに確立されて固定されている。
電気クロスコネクト装置（ＥＸＣ１）は現用系／予備系の光信号を現用系／予備系のインタフェースリンク２１ａ，２１ｂに分配し、光パスクロスコネクト装置ＯＰＸＣ１は現用系インタフェースリンク２１ａから入力した光信号を現用系光伝送路３１にルーチングし、予備系インタフェースリンク２１ｂから入力した光信号を予備系光伝送路３２にルーチングする。
【００３２】
第２の光伝送システム２の光パスクロスコネクト装置ＯＰＸＣ２は現用系光伝送路３１から入力した電気クロスコネクト装置ＥＸＣ１からの光信号を現用系インタフェースリンク２２ａにルーチングし、又、予備系光伝送路３２から入力した電気クロスコネクト装置ＥＸＣ１からの光信号を予備系インタフェースリンク２２ｂにルーチングし、これによりそれぞれを電気クロスコネクト装置ＥＸＣ２に入力する。
電気クロスコネクト装置ＥＸＣ２は現用系インタフェースリンク２２ａから入力された現用系信号をセレクタ２０ｃ（図６）で選択し、ＡＴＭスイッチ２０ｄで所望の出線にルーチングする。
【００３３】
・切替動作
かかる状態で、現用系光伝送路３１に流れている信号を予備系光伝送路３２に切替える場合、第２の光伝送システム２の電気クロスコネクト装置ＥＸＣ２は切替指示に基づいて予備系インタフェースリンク２２ｂより入力された予備系の信号を選択し、該信号をＡＴＭスイッチ２０ｄで所望の出線にルーチングする。この場合、位相調整部２０ｂにおいて常時、現用系と予備系の信号位相が一致するように位相調整されているから、セルロスなく無瞬断で現用／予備の切り替えができる。
【００３４】
図７では隣接する光伝送システム１、２の一方の電気クロスコネクト装置ＥＸＣ１から他方の電気クロスコネクト装置ＥＸＣ２に信号を伝送する場合であるが、第１、第２の光伝送システム１，２間に他の光伝送システムが存在する場合であっても、信号を受け取る側の電気クロスコネクト装置の位相調整部２０ｂは常に現用系及び予備系の信号位相が一致するように位相調整している。このため、いずれかの現用系光伝送路に障害が発生しても、上述のようにセルロスなく無瞬断で現用／予備の切り替えができる。
第１実施理例によれば、光パスクロスコネクト装置１０は、無瞬断切り替えを行わず、電気クロスコネクト装置２０が無瞬断切り替えができるように現用系と予備系のパス張っておくだけでよい。このため、光パスクロスコネクト装置１０には光位相調整機能や高速な切り替え動作が不要となる。
【００３５】
（ｄ）変形例
(d-1) 第１変形例
図８は本発明の光伝送システムの第１変形例であり、図３と同一部分には同一の符号を付している。図８に示す光伝送システムでは、光パスクロスコネクト装置１０の光スイッチを現用系光スイッチ１０Ａと予備系光スイッチ１０Ｂに分割し、現用系光信号は光スイッチ１０Ａに、予備系光信号は光スイッチ１０Ｂにそれぞれ入ってスイッチングされるようになっている。
【００３６】
光パスクロスコネクト装置１０は、現用系光伝送路１３から入ってきた光信号を光スイッチ１０Ａにより現用系光伝送路１５や現用系インタフェースリンク２２ａにルーチングする。光スイッチ１０Ａとして、例えば１対１型空間光スイッチ又は１対Ｎ型空間光スイッチが用いられる。同様に、光パスクロスコネクト装置１０は、予備系光伝送路１４から入ってきた光信号を、光スイッチ１０Ｂにより予備系光伝送路１６や予備系の出力インタフェースリンク２２ｂにルーチングする。また、光パスクロスコネクト装置１０は、現用系のインタフェースリンク２１ａから入ってきた光信号を光スイッチ１０Ａにより現用系光伝送路１５に、予備系インタフェースリンク２１ｂから入ってきた光信号を光スイッチ１０Ｂにより予備系光伝送路１６にそれぞれルーチングする。
この第１変形例によれば、光スイッチの素子数を減らすことができる。例えば、図３に示す第１実施例において光スイッチが１２入力、１２出力であるとすると、必要な光スイッチの数は１２×１２＝１４４（個）となるが、変形例では、６×６×２＝７２（個）となり、光スイッチの数を減らすことができる。
【００３７】
図９は第１変形例の動作説明図であり、１，２はそれぞれ図８に示す構成を備えた光伝送システムであり、光パスクロスコネクト装置１０（ＯＰＸＣ１，ＯＰＸＣ２）及び電気クロスコネクト装置２０（ＥＸＣ１，ＥＸＣ２）を備えている。光伝送システム１，２の光パスクロスコネクト装置ＯＰＸＣ１，ＯＰＸＣ２間は現用系光伝送路３１及び予備系光伝送路３２により接続されている。
図９に示すシステムにおいて、一方の電気クロスコネクト装置ＥＸＣ１から他方の電気クロスコネクト装置ＥＸＣ２に伝送される現用系及び予備系のパスは、すでにコネクション制御により確立されて固定されている。かかる状態で、第１実施例の場合と同様に信号受信側の電気クロスコネクト装置ＥＸＣ２のセレクタ２０ｃ（図６参照）が切替指示に基づいて現用系と予備系の切り替えを行うと、ＡＴＭスイッチの出力口で現用系と予備系が入れ替り、系の無瞬断切り替えができる。
【００３８】
(d-2) 第２変形例
図３の第１実施例では電気クロスコネクト装置２０において、光パスクロスコネクト装置１０への現用系及び予備系の光信号を作成して現用系及び予備系インタフェースリンク２１ａ、２１ｂに分配した場合である。しかし、光信号を電気クロスコネクト装置２０で現用系及び予備系に分配せず、インタフェースリンクに光分配器又は光分配スイッチを設け、該光分配器あるいは光分配スイッチで光信号を現用系及び予備系インタフェースリンクに分配するように構成することもできる。
【００３９】
図１０は本発明の光伝送システムの第２変形例であり、図３と同一部分には同一の符号を付している。図中、２５は光分配器又は光分配スイッチであり、電気クロスコネクト装置２０に接続された現用系インタフェースリンク２１ａに設けられ、電気クロスコネクト装置２０からの光信号を現用系及び予備系インタフェースリンク２１ａ、２１ｂに分配する。第２変形例において、光パスクロスコネクト装置１０から電気クロスコネクト装置２０へのインタフェースリンクは、第１実施例と同様に現用系と予備系のペアで接続されている。
【００４０】
図１１は第２変形例における電気クロスコネクト装置２０の構成図であり、図６の構成と同一部分には同一符号を付している。図６と異なる点は、分配回路２０ｅ及び予備系の電光変換器（Ｅ／Ｏ）２０ｆ2を削除した点である。
光パスクロスコネクト装置１０は、第１実施例と同様に、▲１▼現用系光伝送路１３から入ってきた光信号を、現用系光伝送路１５や現用系インタフェースリンク２２ａにルーチングし、▲２▼予備系光伝送路１４から入ってきた光信号を、予備系光伝送路１６や予備系インタフェースリンク２２ｂにルーチングし、▲３▼また、光分配器又は光分配スイッチ２５により２つに分配され、現用系インタフェースリンク２１ａより入ってきた光信号を現用系光伝送路１５にルーチングし、▲４▼他方の予備系インタフェースリンク２１ｂから入ってきた光信号を予備系光伝送路１６にそれぞれルーチングする。
【００４１】
図１２は本発明の第２変形例の動作説明図である。１，２はそれぞれ図１０に示す構成を備えた光伝送システムであり、光パスクロスコネクト装置１０（ＯＰＸＣ１，ＯＰＸＣ２）及び電気クロスコネクト装置２０（ＥＸＣ１，ＥＸＣ２）を備えている。光伝送システム１，２の光パスクロスコネクト装置ＯＰＸＣ１，ＯＰＸＣ２間は現用系光伝送路３１及び予備系光伝送路３２により接続されている。図１２に示すシステムにおいて、一方の電気クロスコネクト装置ＥＸＣ１から他方の電気クロスコネクト装置ＥＸＣ２に伝送される現用系及び予備系のパスは、すでにコネクション制御により確立されて固定されている。かかる状態で、第１実施例の場合と同様に信号受信側の電気クロスコネクト装置ＥＸＣ２のセレクタ２０ｃ（図１１参照）が切替指示に基づいて現用系と予備系の切り替えを行うと、ＡＴＭスイッチ２０ｄの出力口で現用系と予備系が入れ替り、系の無瞬断切り替えができる。
【００４２】
(d-3) 第３変形例
図１３は本発明の光伝送システムの第３変形例であり、図１０の第２変形例と同一部分には同一の符号を付している。図１３に示す第３変形例の光伝送システムでは、光パスクロスコネクト装置１０の光スイッチを現用系光スイッチ１０Ａと予備系光スイッチ１０Ｂに分割し、現用系光信号は光スイッチ１０Ａに、予備系光信号は光スイッチ１０Ｂにそれぞれ入ってスイッチングされるようになっている。
【００４３】
光パスクロスコネクト装置１０は、現用系光伝送路１３から入ってきた光信号を光スイッチ１０Ａにより現用系光伝送路１５や現用系インタフェースリンク２２ａにルーチングする。光スイッチ１０Ａとして、１対１型空間光スイッチ又は１対Ｎ型空間光スイッチが用いられる。同様に、光パスクロスコネクト装置１０は、予備系光伝送路１４から入ってきた光信号を、光スイッチ１０Ｂにより予備系光伝送路１６や予備系の出力インタフェースリンク２２ｂにルーチングする。また、光パスクロスコネクト装置１０は、光分配器２５に分配されて現用系のインタフェースリンク２１ａから入ってきた光信号を光スイッチ１０Ａにより現用系光伝送路１５に、予備系インタフェースリンク２１ｂから入ってきた光信号を光スイッチ１０Ｂにより予備系光伝送路１６にそれぞれルーチングする。
この第３変形例によれば、光スイッチの素子数を減らすことができる。例えば、図１０に示す第２変形例において光スイッチが１２入力、１２出力であるとすると、必要な光スイッチの数は１２×１２＝１４４（個）となるが、第３変形例では、６×６×２＝７２（個）となり、光スイッチの数を減らすことができる。
【００４４】
図１４は第３変形例の動作説明図であり、１，２はそれぞれ図１３に示す構成を備えた光伝送システムであり、光パスクロスコネクト装置１０（ＯＰＸＣ１，ＯＰＸＣ２）及び電気クロスコネクト装置２０（ＥＸＣ１，ＥＸＣ２）を備えている。光伝送システム１，２の光パスクロスコネクト装置ＯＰＸＣ１，ＯＰＸＣ２間は現用系光伝送路３１及び予備系光伝送路３２により接続されている。
図１４に示すシステムにおいて、一方の電気クロスコネクト装置ＥＸＣ１から他方の電気クロスコネクト装置ＥＸＣ２に伝送される現用系及び予備系のパスは、コネクション制御によりすでに確立されて固定されている。かかる状態で、第１実施例の場合と同様に信号受信側の電気クロスコネクト装置ＥＸＣ２のセレクタ２０ｃ（図１１参照）が切替指示に基づいて現用系と予備系の切り替えを行うと、ＡＴＭスイッチ２０ｄの出力口で現用系と予備系が入れ替り、系の無瞬断切り替えができる。
【００４５】
(d-4) 第４変形例
図３の第１実施例は電気クロスコネクト装置２０において、光パスクロスコネクト装置１０への現用系及び予備系の光信号を作成して現用系及び予備系インタフェースリンク２１ａ、２１ｂに分配した場合である。しかし、光信号を電気クロスコネクト装置１０で現用系及び予備系に分配せず、光パスクロスコネクト装置１０を分配機能を持った空間光スイッチで構成し、該空間スイッチにより電気クロスコネクト装置２０から入ってきた光信号を現用系及び予備系光伝送路に同時にルーチングするように構成することもできる。
図１５はかかる光伝送システムの第４変形例であり、図３の第１実施例と同一部分には同一の符号を付している。第１実施例と異なる点は、(1) 電気クロスコネクト装置２０から光パスクロスコネクト装置１０への予備系インタフェースリンク２１ｂを削除した点、(2) 光パスクロスコネクト装置１０を分配機能を持った空間光スイッチで構成した点、(3) 電気クロスコネクト装置２０を図１１に示す構成とした点である。
【００４６】
電気クロスコネクト装置２０から光パスクロスコネクト装置１０へ光信号を入力するインタフェースリンクは、現用系インタフェースリンク２１ａのみであり、光パスクロスコネクト装置１０から電気クロスコネクト装置２０へ光信号を入力するインタフェースリンクは、現用系インタフェースリンク２２ａと予備系インタフェースリンク２２ｂのペアである。
光パスクロスコネクト装置１０は、現用系光伝送路１３から入ってきた光信号を、現用系光伝送路１５や現用系インタフェースリンク２２ａにルーチングする。同様に、予備系光伝送路１４から入ってきた光信号を、予備系光伝送路１６や予備系の出力インタフェースリンク２２ｂにルーチングする。また、現用系のインタフェースリンク２１ａから入ってきた光信号を分配機能により現用系光伝送路１５や予備系光伝送路１６にルーチングする。
【００４７】
図１６は本発明の第４変形例の動作説明図であり、１，２はそれぞれ図１５に示す構成を備えた光伝送システムであり、光パスクロスコネクト装置１０（ＯＰＸＣ１，ＯＰＸＣ２）及び電気クロスコネクト装置２０（ＥＸＣ１，ＥＸＣ２）を備えている。光伝送システム１，２の光パスクロスコネクト装置ＯＰＸＣ１，ＯＰＸＣ２間は現用系光伝送路３１及び予備系光伝送路３２により接続されている。図１６に示すシステムにおいて、一方の電気クロスコネクト装置ＥＸＣ１から他方の電気クロスコネクト装置ＥＸＣ２に伝送される現用系及び予備系のパスは、コネクション制御によりすでに確立されて固定されている。かかる状態で、第１実施例の場合と同様に信号受信側の電気クロスコネクト装置ＥＸＣ２のセレクタ２０ｃ（図１１参照）が切替指示に基づいてで現用系と予備系の切り替えを行うと、ＡＴＭスイッチ２０ｄの出力口で現用系と予備系が入れ替り、系の無瞬断切り替えができる。
【００４８】
（Ｂ）第２実施例
（ａ）概略構成
第１実施例及び第１変形例乃至第４変形例の光伝送システムにおいては、光信号の波長は多重されておらず１つの波長λ0を使用するものであった。第２実施例は伝送路が波長多重された場合に無瞬断伝送路切替を実現するものであり、基本的には第１実施例及び第１変形例乃至第４変形例の構成と同様の構成を備え、波長多重に対応できるように光パスクロスコネクト装置及び電気クロスコネクト装置の構成に工夫を加えている。
図１７〜図２０は本発明の第２実施例における波長多重光伝送システムの概略構成図であり、それぞれ第１実施例及び第１変形例乃至第４変形例の光伝送システムに対応している。
【００４９】
(a-1) タイプＡ
図１７に示すタイプＡの波長多重光伝送システムは、図３の第１実施例に対応するものであり、電気クロスコネクト装置ＥＸＣから光パスクロスコネクト装置ＯＰＣＸ及び光パスクロスコネクト装置ＯＰＸＣから電気クロスコネクト装置ＥＣＸへのインタフェースリンクをそれぞれ現用系と予備系の２本のペアで複数リンク相互接続する構成を備えている。
【００５０】
図１７において、１０１は光パスクロスコネクト装置（ＯＰＸＣ）、２０１は電気クロスコネクト装置（ＥＸＣ）である。光パスクロスコネクト装置１０１（ＯＰＸＣ）は複数の波長多重光信号入出力用の現用系光伝送路１３０，１５０と、波長多重光信号入出力用の予備系光伝送路１４０，１６０と、電気クロスコネクト装置との間に設けられた複数の波長多重光信号入出力用の現用系インタフェースリンク１２１ａ，１２２ａと、電気クロスコネクト装置との間に設けられた複数の波長多重光信号入出力用の予備系インタフェースリンク１２１ｂ，１２２ｂをそれぞれ収容している。光パスクロスコネクト装置１００は、(1) 現用系光伝送路１３０から入ってきた波長λ1〜λnの波長多重光信号を波長毎に現用系光伝送路１５０や現用系インタフェースリンク１２２ａにルーチングし、(2) 予備系光伝送路１４０から入ってきた波長λ1〜λnの波長多重光信号を波長毎に予備系光伝送路１６０や予備系インタフェースリンク１２２ｂにルーチングし、(3) 現用系インタフェースリンク１２１ａから入ってきた波長多重光信号を波長毎に現用系光伝送路１５０にルーチングし、(4) 予備系インタフェースリンク１２１ｂから入ってきた波長多重光信号を波長毎に予備系光伝送路１６０にそれぞれルーチングする。
【００５１】
(a-2) タイプＢ
図１８に示すタイプＢの波長多重光伝送システムは図８の第１変形例に対応するものであり、図１７のタイプＡと同一部分には同一の符号を付している。
タイプＢの波長多重光伝送システムでは、光パスクロスコネクト装置１０１を現用系１０１ａと予備系１０１ｂに分割し、現用系の波長多重光信号は現用系の光パスクロスコネクト装置１０１ａに、予備系の波長多重光信号は予備系の光パスクロスコネクト装置１０１ｂにそれぞれ入ってスイッチングされるようになっている。
【００５２】
現用系の光パスクロスコネクト装置１０１ａは、現用系光伝送路１３０から入ってきた波長多重光信号を現用系光伝送路１５０や現用系インタフェースリンク１２２ａにルーチングし、又、現用系のインタフェースリンク１２１ａから入ってきた波長多重光信号を現用系光伝送路１５０にルーチングする。予備系の光パスクロスコネクト装置１０１ｂは、予備系光伝送路１４０から入ってきた波長多重光信号を予備系光伝送路１６０や予備系の出力インタフェースリンク１２２ｂにルーチングし、予備系インタフェースリンク１２１ｂから入ってきた波長多重光信号を予備系光伝送路１６０にそれぞれルーチングする。
このタイプＢの波長多重光伝送システムによれば、光パスクロスコネクト装置を構成する光空間スイッチの素子数を減らすことができる。
【００５３】
(a-3) タイプＣ
図１９に示すタイプＣの波長多重光伝送システムは図１０の第２変形例に対応するものであり図１７と同一部分には同一の符号を付している。
図１７のタイプＡの波長多重光システムでは電気クロスコネクト装置２０１において、光パスクロスコネクト装置１０１への現用系及び予備系の波長多重光信号を作成して現用系及び予備系インタフェースリンク１２１ａ、１２１ｂに分配する。しかし、図１９のタイプＣでは、波長多重光信号を電気クロスコネクト装置２０１で現用系及び予備系に分配せず、インタフェースリンク１２１に光分配器又は光分配スイッチ１２５を設け、該光分配器あるいは光分配スイッチ１２５で波長多重光信号を現用系及び予備系インタフェースリンク１２１ａ，１２１ｂに分配する。他の構成はタイプＡと同一である。
【００５４】
光パスクロスコネクト装置１０１は、(1) 現用系光伝送路１３０から入ってきた波長多重光信号を波長毎に現用系光伝送路１５０や現用系インタフェースリンク１２２ａにルーチングし、(2) 予備系光伝送路１４０から入ってきた波長多重光信号を波長毎に予備系光伝送路１６０や予備系インタフェースリンク１２２ａにルーチングし、(3) 光分配器１２５を介して現用系インタフェースリンク１２１ａから入ってきた波長多重光信号を波長毎に現用系光伝送路１５０にルーチングし、(4) 光分配器１２５を介して予備系インタフェースリンク１２１ｂから入ってきた波長多重光信号を波長毎に予備系光伝送路１６０にそれぞれルーチングする。
【００５５】
(a-4) タイプＤ
図２０に示すタイプＤの波長多重光伝送システムは図１３の第３変形例に対応するものであり、図１９と同一部分には同一の符号を付している。
図２０に示すタイプＤの波長多重光伝送システムでは、光パスクロスコネクト装置１０１を現用系１０１ａと予備系１０１ｂに分割し、現用系の波長多重光信号は現用系の光パスクロスコネクト装置１０１ａに、予備系の波長多重光信号は予備系の光パスクロスコネクト装置１０１ｂにそれぞれ入ってスイッチングされるようになっている。
【００５６】
現用系の光パスクロスコネクト装置１０１ａは、現用系光伝送路１３０から入ってきた波長多重光信号を現用系光伝送路１５０や現用系インタフェースリンク１２２ａにルーチングし、又、光分配器１２５を介して現用系のインタフェースリンク１２１ａから入ってきた波長多重光信号を現用系光伝送路１５０にルーチングする。予備系の光パスクロスコネクト装置１０１ｂは、予備系光伝送路１４０から入ってきた波長多重光信号を予備系光伝送路１６０や予備系の出力インタフェースリンク１２２ｂにルーチングし、光分配器１２５を介して予備系インタフェースリンク１２１ｂから入ってきた波長多重光信号を予備系光伝送路１６０にそれぞれルーチングする。
このタイプＤの波長多重光伝送システムによれば、光パスクロスコネクト装置を構成する光空間スイッチの素子数を減らすことができる。
【００５７】
(a-5) タイプＥ
図２１に示すタイプＥの波長多重光伝送システムは図１５の第４変形例に対応するものであり、図１７のタイプＡと同一部分には同一の符号を付している。
タイプＡの波長多重光システムでは電気クロスコネクト装置２０１において、光パスクロスコネクト装置１０１への現用系及び予備系の波長多重光信号を作成して現用系及び予備系インタフェースリンク１２１ａ、１２１ｂに分配する。しかし、図２１のタイプＥでは、波長多重光信号を電気クロスコネクト装置２０１で現用系及び予備系に分配せず、光パスクロスコネクト装置１０１を分配機能を持った空間光スイッチで構成し、該空間スイッチにより電気クロスコネクト装置２０１から入ってきた波長多重光信号を現用系及び予備系光伝送路に同時にルーチングするようにしている。
【００５８】
図２１において、図１７のタイプＡと異なる点は、(1) 電気クロスコネクト装置２０１から光パスクロスコネクト装置１０１への予備系インタフェースリンク１２１ｂを削除した点、(2) 光パスクロスコネクト装置１０１を分配機能を持った空間光スイッチで構成した点である。すなわち、電気クロスコネクト装置２０１から光パスクロスコネクト装置１０１へ波長多重光信号を入力するインタフェースリンクは、現用系インタフェースリンク１２１ａのみであり、光パスクロスコネクト装置１０１から電気クロスコネクト装置２０１へのインタフェースリンクは、現用系インタフェースリンク１２２ａと予備系インタフェースリンク１２２ｂのペアである。
光パスクロスコネクト装置１０１は、(1) 現用系光伝送路１３０から入ってきた波長多重光信号を波長毎に現用系光伝送路１５０や現用系インタフェースリンク１２２ａにルーチングし、(2) 予備系光伝送路１４０から入ってきた波長多重光信号を波長毎に予備系光伝送路１６０や予備系インタフェースリンク１２２ｂにルーチングし、(3) 現用系インタフェースリンク１２１ａから入ってきた波長多重光信号を分配機能により波長毎に現用系光伝送路１５０と予備系光伝送路１６０にそれぞれルーチングする。
【００５９】
（ｂ）光パスクロスコネクト装置の構成
光パスクロスコネクト装置（ＯＰＸＣ）の構成法としては、入力光信号の波長の変換を行わないＷＰ(Wavelength path)方式と必要に応じて波長の変換を行うＶＷＰ(Virtual Ｗavelength Ｐath)方式の２種類がある。
(b-1) ＷＰ方式の光パスクロスコネクト装置
図２２はＷＰ方式の光パスクロスコネクト装置ＯＰＸＣの構成図であり、複数の光伝送路＃１〜＃ｋのそれぞれから入力する波長多重光信号を個々の波長λ1〜λnの光信号に分波する分波器１０１11〜１０１1kと、分波された波長λ1〜λnの光信号を所定の出方路にスイッチングする空間光スイッチ１０１21〜１０１2kと、同一出方路向けの波長λ1〜λnの光信号を合流して光伝送路＃１〜＃ｋに送出する合波器１０１31〜１０１3kを備えている。
【００６０】
空間光スイッチ１０１21には各分波器１０１11〜１０１1kより波長λ1の光信号が入力され、該空間光スイッチ１０１21でスイッチングされて各合波器に入力される。又、空間光スイッチ１０１22には各分波器１０１11〜１０１1kより波長λ2の光信号が入力され、該空間光スイッチ１０１22でスイッチングされて各合波器に入力される。他の空間スイッチも同様である。合波器１０１31は各空間スイッチ１０１21〜１０１2kから入力された波長λ1〜λnの光信号を合波して＃１の光伝送路に送出し、合波器１０１32は各空間スイッチ１０１21〜１０１2kから入力された波長λ1〜λnの光信号を合波して＃２の光伝送路に送出し、同様に合波器１０１3kは各空間スイッチ１０１21〜１０１2kから入力された波長λ1〜λnの光信号を合波して＃ｋの光伝送路に送出する。
【００６１】
(b-2) ＶＷＰ方式の光パスクロスコネクト装置
図２３はＶＷＰ方式の光パスクロスコネクト装置ＯＰＸＣの構成図であり、複数の光伝送路＃１〜＃ｋのそれぞれから入力する波長多重光信号を個々の波長λ1〜λnの光信号に分波する分波器１０１11〜１０１1kと、各分波器で分波された波長λ1〜λnの光信号を所定の出方路にスイッチングする空間光スイッチ１０１4と、スイッチングされた光信号の波長を所定の波長に変換する波長変換器１０１51〜１０１5kと、同一出方路向けの波長λ1〜λnの光信号を合流して光伝送路＃１〜＃ｋに送出する合波器１０１31〜１０１3kを備えている。
ＶＷ方式、ＶＷＰ方式の空間光スイッチとしては、図４及び図５に示す１：１型空間光スイッチ、分配機能を備えた１：Ｎ型空間光スイッチを用いることができる。この場合、タイプＡ〜タイプＤ（図１７〜図２０）の波長多重光伝送システムは、空間光スイッチとしてどちらの空間スイッチをも使用することができる。しかし、タイプＥの波長多重光伝送システムにおては光パスクロスコネクト装置１０１に分配機能が要求されるので分配機能を備えた１：Ｎ型空間光スイッチを使用する必要がある。
【００６２】
（ｃ）電気クロスコネクト装置の送信側の構成
電気クロスコネクト装置２０１の送信側には波長多重光信号を処理する為の機能が付加される。
図２４は電気クロスコネクト装置２０１の送信側の構成図であり、４つの送信タイプＳ−１〜Ｓ−４がある。第１，第２の送信タイプＳ−１，Ｓ−２はそれぞれタイプＣ〜Ｅの波長多重光伝送システム（図１９〜図２１）に適用できるものであり、第３、第４の送信タイプＳ−３，Ｓ−４はそれぞれタイプＡ〜Ｂの波長多重光伝送システム（図１７〜図１８）に適用できるものである。
【００６３】
(c-1) 第１の送信タイプＳ−１
第１の送信タイプＳ−１は、ＡＴＭスイッチ部（図示せず）から出力される光パスクロスコネクト装置１０１向けの個々の電気信号を波長λ1〜λｎに変換する出力波長固定の電光変換部(Ｅ／Ｏ変換部)３０７ａ1〜３０７ａnと、各Ｅ／Ｏ変換部から出力される波長λ1〜λｎの光信号を合流して現用系インタフェースリンク１２１ａに送出する光合流器３０８ａを有している。
第１の送信タイプＳ−１は光パスクロスコネクト装置１０１への波長を任意に変更できない。このため第１の送信タイプＳ−１は、タイプＣ〜タイプＤの波長多重光伝送システムであって、光パスクロスコネクト装置ＯＰＸＣをＶＷＰ方式の空間光スイッチで構成した波長多重光伝送システムに適用できる。
【００６４】
(c-2) 第２の送信タイプＳ−２
第２の送信タイプＳ−２は、ＡＴＭスイッチ部（図示せず）から出力される光パスクロスコネクト装置１０１向けの個々の電気信号を波長λ1〜λｎに変換する出力波長が可変の電光変換部(Ｅ／Ｏ変換部)３０７ａ1′〜３０７ａn′と、各Ｅ／Ｏ変換部から出力される波長λ1〜λｎの光信号を合流して現用系インタフェースリンク１２１ａに送出する光合流器３０８ａを有している。
第２の送信タイプＳ−２は光パスクロスコネクト装置１０１への波長を任意に変更できる。このため第２の送信タイプＳ−２は、タイプＣ〜タイプＤの波長多重光伝送システムであって、光パスクロスコネクト装置ＯＰＸＣをＷＰ方式の空間光スイッチで構成した波長多重光伝送システムに適用できる。
【００６５】
(c-3) 第３の送信タイプＳ−３
第３の送信タイプＳ−３は、ＡＴＭスイッチ部（図示せず）から出力される光パスクロスコネクト装置１０１向けの個々の電気信号を現用系及び予備系に分配する分配回路３０６ａ，３０６ｂと、現用系の個々の電気信号を波長λ1〜λｎに変換する出力波長固定の電光変換部(Ｅ／Ｏ変換部)３０７ａ1〜３０７ａnと、予備系の個々の電気信号を波長λ1〜λｎに変換する出力波長固定の電光変換部(Ｅ／Ｏ変換部)３０７ｂ1〜３０７ｂnと、現用系の各Ｅ／Ｏ変換部から出力される波長λ1〜λｎの光信号を合流して現用系インタフェースリンク１２１ａに送出する光合流器３０８ａと、予備系の各Ｅ／Ｏ変換部から出力される波長λ1〜λｎの光信号を合流して予備系インタフェースリンク１２１ｂに送出する光合流器３０８ｂを有している。
第３の送信タイプＳ−３は光パスクロスコネクト装置１０１への波長を任意に変更できない。このため第３の送信タイプＳ−３は、タイプＡ〜タイプＢの波長多重光伝送システムであって、光パスクロスコネクト装置ＯＰＸＣをＶＷＰ方式の空間光スイッチで構成した波長多重光伝送システムに適用できる。
【００６６】
(c-4) 第４の送信タイプＳ−４
第４の送信タイプＳ−４は、ＡＴＭスイッチ部（図示せず）から出力される光パスクロスコネクト装置１０１向けの個々の電気信号を現用系及び予備系に分配する分配回路３０６ａ，３０６ｂと、現用系の個々の電気信号を波長λ1〜λｎに変換する出力波長可変の電光変換部(Ｅ／Ｏ変換部)３０７ａ1′〜３０７ａn′と、予備系の個々の電気信号を波長λ1〜λｎに変換する出力波長可変の電光変換部(Ｅ／Ｏ変換部)３０７ｂ1′〜３０７ｂn′と、現用系の各Ｅ／Ｏ変換部から出力される波長λ1〜λｎの光信号を合流して現用系インタフェースリンク１２１ａに送出する光合流器３０８ａと、予備系の各Ｅ／Ｏ変換部から出力される波長λ1〜λｎの光信号を合流して予備系インタフェースリンク１２１ｂに送出する光合流器３０８ｂを有している。
【００６７】
第４の送信タイプＳ−４は光パスクロスコネクト装置１０１への波長を任意に変更できる。このため第４の送信タイプＳ−４は、タイプＡ〜タイプＢの波長多重光伝送システムであって、光パスクロスコネクト装置ＯＰＸＣをＷＰ方式の空間光スイッチで構成した波長多重光伝送システムに適用できる。
尚、各送信タイプともこれらリンクを複数本電気クロスコネクト装置と光パスクロスコネクト装置間に配設される。
【００６８】
（ｄ）電気クロスコネクト装置の受信側の構成
電気クロスコネクト装置２０１の受信側には波長多重光信号を処理する為の機能が付加される。図２５は電気クロスコネクト装置２０１の受信側の構成図であり、２つの受信タイプＲ−１，Ｒ−２がある。
(d-1) 第１の受信タイプＲ−１
第１の受信タイプＲ−１は、光パスクロスコネクト装置１０１から現用系及び予備系のインタフェースリンク１２２ａ、１２２ｂを介して送られてくる波長多重光信号を個々の波長λ1〜λnの光信号に分波する３０１ａ、３０１ｂと、現用系及び予備系の各光信号を電気信号に変換する複数の光電変換部（Ｏ／Ｅ変換部）３０２ａ1〜３０２ａn，３０２ｂ1〜３０２ｂnと、各光電変換器出力に接続され、現用系及び予備系の信号位相が一致するように電気的に位相調整する位相調整用バッファ３０３ａ1〜３０３ａn，３０３ｂ1〜３０３ｂnと、現用系及び予備系の光信号を切り替え、図示しないＡＴＭスイッチ部に入力するセレクタ３０４ａ1〜３０４ａｎを備えている。
第１の受信タイプＲ−１は全タイプＡ〜Ｅの波長多重光伝送システム（図１７〜図２１）に適用できる。
【００６９】
(d-2) 第２の受信タイプＲ−２
第２の受信タイプＲ−２は、光パスクロスコネクト装置１０１から現用系インタフェースリンク１２２ａを介して入力される波長多重光信号を個々の波長λ1〜λnの光信号に分波する分波器３０１ａと、光パスクロスコネクト装置１０１から予備系系インタフェースリンク１２２ｂを介して入力される波長多重光信号を分岐する分岐器３０９ｂと、分岐器３０９ｂから分岐された各波長多重光信号より所定の波長λ1〜λnの光信号を抽出する可変波長フィルタ３１０ｂ1〜３１０ｂnと、現用系及び予備系の各光信号を電気信号に変換する複数の光電変換部（Ｏ／Ｅ変換部）３０２ａ1〜３０２ａn，３０２ｂ1〜３０２ｂnと、各光電変換器出力に接続され、現用系及び予備系の信号位相が一致するように電気的に位相調整する位相調整用バッファ３０３ａ1〜３０３ａn，３０３ｂ1〜３０３ｂnと、現用系及び予備系の光信号を切り替え、図示しないＡＴＭスイッチ部に入力するセレクタ３０４ａ1〜３０４aｎを備えている。
【００７０】
全タイプＡ〜Ｅの波長多重光伝送システム（図１７〜図２１）の電気クロスコネクト装置２０１の受信側構成として、基本的に第１の受信タイプＲ−１を適用できる。しかし、送信側に第４の送信タイプＳ−４を用いた場合は、光パスクロスコネクト装置１０１が現用系と予備系に送出する光信号の波長が異なる場合があり（現用系に送出した波長と同じ波長で予備系に送出しようとした時に、その波長が既に予備系で使われていた場合）、かかる場合において第２の受信タイプＲ−２を用いることによりブロッキングを防ぐことができる。すなわち、可変波長フィルタ３１０ｂ1〜３１０ｂnはそれぞれ予備系の波長多重光信号より所定の波長の光信号を抽出して出力するため、予備系の各光信号は光電変換部３０２ｂ1〜３０２ｂnで正しく光電変換され、ブロッキングされることがない。
【００７１】
（ｅ）送信タイプ及び受信タイプが適用できる構成：
図２６は光パスクロスコネクト装置ＯＰＸＣのタイプＡ〜Ｅと光パス（ＷＰ方式／ＶＷＰ方式）並びに電気クロスコネクト装置ＥＸＣにおける送信タイプＳ−１〜Ｓ−４及び受信タイプＲ−１〜Ｒ−２の関係説明図表である。
光パスクロスコネクト装置ＯＰＸＣのタイプＡ〜Ｅと光パスの違い（ＷＰ方式／ＶＷＰ方式）により電気クロスコネクト装置ＥＸＣに適用する送信部と受信部のタイプが異なってくる。
【００７２】
(e-1) 送信タイプが適用できる構成
タイプＣ、Ｄ、Ｅの波長多重光伝送システム（図１９〜図２１）では、電気クロスコネクト装置ＥＸＣより波長多重光信号を予備系に送出する必要がない。このため、電気クロスコネクト装置ＥＸＣの送信部として送信タイプＳ−１もしくはＳ−２を使用する。この場合、どの波長で光信号を送出するかはその時のネットワークの状況によるので、波長変換をしないＷＰ方式の光パスクロスコネクト装置ＯＰＸＣを使用する時は、送信部のＥ／Ｏ変換部に波長可変機能が要求される。このため、送信タイプＳ−２を使用する。一方、波長変換するＶＷＰ方式の光パスクロスコネクト装置ＯＰＸＣを使用する時は、送信部のＥ／Ｏ変換部に波長可変機能が不要であるから送信タイプＳ−１を使用する。
【００７３】
タイプＡ、Ｂの波長多重光伝送システム（図１７〜図１８）では、電気クロスコネクト装置ＥＸＣより波長多重光信号を現用系、予備系の両方に送出する必要がある。このため、電気クロスコネクト装置ＥＸＣの送信部として送信タイプＳ−３もしくはＳ−４を使用する。また、上述した理由によりＷＰの方式では、送信部のＥ／Ｏ変換部に波長可変機能を有する送信タイプＳ−４を使用し、ＶＷＰ方式では、送信部のＥ／Ｏ変換部に波長可変機能を有しない送信タイプＳ−３を使用する。
【００７４】
(e-2) 受信タイプが適用できる構成
タイプＡ〜Ｅの波長多重光伝送システムの電気クロスコネクト装置ＥＸＣに適用する受信部は基本的には受信タイプＲ−１でよい。しかし、送信部に送信タイプＳ−４を用いると前述のように現用系と予備系に送出する光信号の波長が異なる場合がある。かかる場合には受信タイプＲ−２を用いるとブロッキングを防ぐことができる。
【００７５】
（ｆ）波長多重光伝送システムの構成
図２６の図表より明らかなように、送信タイプ、受信タイプの組み合わせによりトータル１２種類の波長多重光伝送システムの構成が考えられる。
第１の波長多重光伝送システムはタイプＡ（図１７参照）におけるＶＷＰ方式であり、送信タイプがＳ−３、受信タイプがＲ−１の場合である。
第２の波長多重光伝送システムはタイプＡにおけるＷＰ方式であり、送信タイプがＳ−４、受信タイプがＲ−１の場合である。
第３の波長多重光伝送システムはタイプＡにおけるＷＰ方式であり、送信タイプがＳ−４、受信タイプがＲ−２の場合である。
第４の波長多重光伝送システムはタイプＢ（図１８参照）におけるＶＷＰ方式であり、送信タイプがＳ−３、受信タイプがＲ−１の場合である。
第５の波長多重光伝送システムはタイプＢにおけるＷＰ方式であり、送信タイプがＳ−４、受信タイプがＲ−１の場合である。
第６の波長多重光伝送システムはタイプＢにおけるＷＰ方式であり、送信タイプがＳ−４、受信タイプがＲ−２の場合である。
【００７６】
第７の波長多重光伝送システムはタイプＣ(図１９）におけるＶＷＰ方式であり、送信タイプがＳ−１、受信タイプがＲ−１の場合である。
第８の波長多重光伝送システムはタイプＣにおけるＷＰ方式であり、送信タイプがＳ−２、受信タイプがＲ−１の場合である。
第９の波長多重光伝送システムはタイプＤ（図２０）におけるＶＷＰ方式であり、送信タイプがＳ−１、受信タイプがＲ−１の場合である。
第１０の波長多重光伝送システムはタイプＤにおけるＷＰ方式であり、送信タイプがＳ−２、受信タイプがＲ−１の場合である。
第１１の波長多重光伝送システムはタイプＥ（図２１）におけるＶＷＰ方式であり、送信タイプがＳ−１、受信タイプがＲ−１の場合である。
第１２の波長多重光伝送システムはタイプＥにおけるＷＰ方式であり、送信タイプがＳ−２、受信タイプがＲ−１の場合である。
【００７７】
(f-1) 第１の波長多重光伝送システムの動作
図２７は第１の波長多重光伝送システムの動作説明である。
１００、２００は波長多重光伝送システムであり、光パスクロスコネクト装置ＯＰＸＣとしてＶＷＰ方式のタイプＡ（図１７）の構成を有し、電気クロスコネクト装置ＥＸＣとして送信タイプＳ−３、受信タイプＲ−１を有している。
波長多重光伝送システム１００，２００は、それぞれ光パスクロスコネクト装置１０１（ＯＰＸＣ１，ＯＰＸＣ２）及び電気クロスコネクト装置２０１（ＥＸＣ１，ＥＸＣ２）を備え、現用系及び予備系の波長多重光伝送路１３１、１３２により接続されている。
【００７８】
光パスクロスコネクト装置１０１（ＯＰＸＣ１，ＯＰＸＣ２）は図２３に示すＶＷＰ方式の構成を有し、複数の波長多重光信号入出力用の現用系光伝送路１３０，１５０と、波長多重光信号入出力用の予備系光伝送路１４０，１６０と、電気クロスコネクト装置２０１との間に設けられた複数の波長多重光信号入出力用の現用系インタフェースリンク１２１ａ，１２２ａと、電気クロスコネクト装置２０１との間に設けられた複数の波長多重光信号入出力用の予備系インタフェースリンク１２１ｂ，１２２ｂをそれぞれ収容している。
【００７９】
電気クロスコネクト装置２０１は、現用系及び予備系の受信側のそれぞれに現用系及び予備系のインタフェースリンク１２２ａ，１２２ｂから入力される波長多重光信号λ1〜λn(図ではn=2)を個々の波長信号λ1，λ2に分波する分波器３０１ａ，３０１ｂと各波長信号を電気信号に変換する複数の光電変換部３０２ａ1〜３０２ａ2，３０２ｂ1〜３０２ｂ2と、現用系及び予備系の信号位相が一致するように電気的に位相調整する位相調整用バッファ３０３ａ1〜３０３ａ2，３０３ｂ1〜３０３ｂ2と、現用系及び予備系の光電変換部から出力される現用系及び予備系信号を切り替えるセレクタ３０４ａ，３０４ｂと、光パスクロスコネクト装置（ＯＰＸＣ）や他の電気クロスコネクト装置（ＥＸＣ）及び交換機（ＳＷ）より入力されるＡＴＭセルを所定の出線にルーチングするＡＴＭスイッチ３０５と、光パスクロスコネクト装置へ送出する電気信号を現用系／予備系に分配する分配回路３０６ａ，３０６ｂと、分配された各現用系及び予備系の電気信号を波長λ1〜λ2の光信号にそれぞれ変換する出力波長が固定の複数の電光変換部３０７ａ1〜３０７ａ2，３０７ｂ1〜３０７ｂ2と、現用系の各電光変換部から出力される光信号及び予備系の各電光変換部から出力される光信号をそれぞれ合流して現用系及び予備系のインタフェースリンク１２１ａ，１２１ｂに送出する光合流器３０８ａ，３０８ｂを備えている。
【００８０】
光パスクロスコネクト装置１０１は、▲１▼現用系光伝送路１３０から入ってきた波長多重光信号を波長毎に現用系光伝送路１５０や現用系インタフェースリンク１２２ａにルーチングし、▲２▼予備系光伝送路１４０から入ってきた波長多重光信号を波長毎に予備系光伝送路１６０や予備系インタフェースリンク１２２ｂにルーチングし、▲３▼現用系インタフェースリンク１２１ａから入ってきた波長多重光信号を波長毎に現用系光伝送路１５０にルーチングし、▲４▼予備系インタフェースリンク１２１ｂから入ってきた波長多重光信号を波長毎に予備系光伝送路１６０にそれぞれルーチングし、電気クロスコネクト装置２０１は切替指示に基づいてセレクタ３０４ａ〜３０４ｂにより現用及び予備の無瞬断伝送路切替を行う。光パスクロスコネクト装置１０１は必要に応じて波長変換を実行する。
【００８１】
例えば、第１の光伝送システム１００の電気クロスコネクト装置（ＥＸＣ１）より第２の光伝送システム２００の電気クロスコネクト装置（ＥＸＣ２）に光信号を伝送する場合、電気クロスコネクト装置（ＥＸＣ１）は現用系／予備系の波長多重光信号を現用系／予備系のインタフェースリンク１２１ａ，１２１ｂに分配し、光パスクロスコネクト装置ＯＰＸＣ１は現用系インタフェースリンク１２１ａから入力した光信号を現用系光伝送路１３１にルーチングし、予備系インタフェースリンク１２１ｂから入力した光信号を予備系光伝送路１３２にルーチングする。第２の光伝送システム２００の光パスクロスコネクト装置ＯＰＸＣ２は現用系光伝送路１３１から入力した光信号を現用系インタフェースリンク１２２ａにルーチングし、予備系光伝送路１３２から入力した光信号を予備系インタフェースリンク１２２ｂにルーチングし、これにより電気クロスコネクト装置ＥＸＣ２に入力する。電気クロスコネクト装置ＥＸＣ２は現用系インタフェースリンク１２２ａから入力された波長多重光信号を選択し、ＡＴＭスイッチ３０５で所望の出線にルーチングする。
【００８２】
かかる状態で、現用系光伝送路１３１に流れている信号を予備系光伝送路１３２に切替える場合、第２の光伝送システム２００の電気クロスコネクト装置ＥＸＣ２におけるセレクタ３０４ａ〜３０４ｂは切替指示に基づいて予備系インタフェースリンク１２２ｂより入力された波長多重光信号を選択し、該信号をＡＴＭスイッチ３０５で所望の出線にルーチングする。この場合、位相調整用バッファ３０３ａ1〜３０３ａ2，３０３ｂ1〜３０３ｂ2において常時、現用系と予備系の信号位相が一致するように位相調整されているから、セルロスなく無瞬断で現用／予備の切り替えができる。
【００８３】
図２７では隣接する光伝送システム１００、２００の一方の電気クロスコネクト装置ＥＸＣ１から他方の電気クロスコネクト装置ＥＸＣ２に信号を伝送する場合であるが、第１、第２の光伝送システム１００，２００間に他の光伝送システムが存在する場合であっても、信号を受け取る側の電気クロスコネクト装置の位相調整用バッファ３０３ａ1〜３０３ａ2，３０３ｂ1〜３０３ｂ2は常に現用系及び予備系の信号位相が一致するように位相調整しているため、いずれかの現用系光伝送路に障害が発生しても上述のようにセルロスなく無瞬断で現用／予備の切り替えができる。
以上のように、光パスクロスコネクト装置１０１は、無瞬断切り替えを行わず、電気クロスコネクト装置２０１が無瞬断切り替えを行えるように現用系と予備系のパス張っておくだけでよい。このため、光パスクロスコネクト装置には光位相調整機能や高速な切り替え動作が不要となる。
【００８４】
(f-2) 第２の波長多重光伝送システムの動作
図２８は第２の波長多重光伝送システムの動作説明であり、図２７と同一部分には同一符号を付している。波長多重光伝送システム１００，２００は、光パスクロスコネクト装置ＯＰＸＣとしてＷＰ方式のタイプＡ（図１７）の構成を有し、電気クロスコネクト装置ＥＸＣとして送信タイプＳ−４、受信タイプＲ−１を有している。
電気クロスコネクト装置２０１の分配回路３０６ａ，３０６ｂで分配した電気信号を波長可変の電光変換部（Ｅ／Ｏ変換部）３０７ａ1′〜３０７ａ2′，３０７ｂ1′〜３０７ｂ2′で所定の波長の光信号に変換して送出する以外は図２７と同様に動作する。
【００８５】
(f-3) 第３の波長多重光伝送システムの動作
図２９は第３の波長多重光伝送システムの動作説明図であり、図２７と同一部分には同一符号を付している。波長多重光伝送システム１００，２００は、光パスクロスコネクト装置ＯＰＸＣとしてＷＰ方式のタイプＡ（図１７）の構成を有し、電気クロスコネクト装置ＥＸＣとして送信タイプＳ−４、受信タイプＲ−２を有している。
▲１▼電気クロスコネクト装置２０１の分配回路３０６ａ，３０６ｂで分配した予備系及び現用系の電気信号を波長可変の電光変換部（Ｅ／Ｏ変換部）３０７ａ1′〜３０７ａ2′，３０７ｂ1′〜３０７ｂ2′で所定の波長の光信号に変換して送出する点、及び、▲２▼光パスクロスコネクト装置１０１から予備系インタフェースリンク１２２ｂを介して入力される波長多重光信号を分岐器３０９ｂで分岐する点、▲３▼可変波長フィルタ３１０ｂ1〜３１０ｂ2で分岐器３０９ｂから分岐された各波長多重光信号より所定の波長λ1〜λ2の光信号を抽出して光電変換部３０３ｂ1〜３０３ｂ2に入力している点を除けば、図２７と同様に動作する。
【００８６】
(f-4) 第４の波長多重光伝送システムの動作
図３０は第４の波長多重光伝送システムの動作説明図であり、図２７と同一部分には同一符号を付している。波長多重光伝送システム１００，２００は、光パスクロスコネクト装置ＯＰＸＣとしてＶＷＰ方式のタイプＢ（図１８）の構成を有し、電気クロスコネクト装置ＥＸＣとして送信タイプＳ−３、受信タイプＲ−１を有している。
【００８７】
図２７の第１の波長多重光伝送システムと異なる点は、光パスクロスコネクト装置１０１が現用系光パスクロスコネクト装置１０１ａと予備系光パスクロスコネクト装置１０１ｂに分割されている点である。光パスクロスコネクト装置１０１は、現用系光伝送路１３０から入ってきた波長多重光信号を光スイッチ１０１ａにより波長毎に現用系光伝送路１５０や現用系インタフェースリンク１２２ａにルーチングする。同様に、光パスクロスコネクト装置１０１は、予備系光伝送路１４０から入ってきた波長多重光信号を、光スイッチ１０１ｂにより波長毎に予備系光伝送路１６０や予備系の出力インタフェースリンク１２２ｂにルーチングする。また、光パスクロスコネクト装置１０１は、現用系のインタフェースリンク１２１ａから入ってきた波長多重光信号を光スイッチ１０１ａにより波長毎に現用系光伝送路１５０に、予備系インタフェースリンク１２１ｂから入ってきた波長多重光信号を光スイッチ１０１ｂにより波長毎に予備系光伝送路１６０にそれぞれルーチングする。他の動作は図２７の場合と同様である。
【００８８】
(f-5) 第５の波長多重光伝送システムの動作
図３１は第５の波長多重光伝送システムの動作説明図であり、図２８と同一部分には同一符号を付している。波長多重光伝送システム１００，２００は、光パスクロスコネクト装置ＯＰＸＣとしてＷＰ方式のタイプＢ（図１８）の構成を有し、電気クロスコネクト装置ＥＸＣとして送信タイプＳ−４、受信タイプＲ−１を有している。
【００８９】
図２８の第２の波長多重光伝送システムと異なる点は、光パスクロスコネクト装置１０１が現用系光パスクロスコネクト装置１０１ａと予備系光パスクロスコネクト装置１０１ｂに分割されている点である。光パスクロスコネクト装置１０１は、現用系光伝送路１３０から入ってきた波長多重光信号を光スイッチ１０１ａにより波長毎に現用系光伝送路１５０や現用系インタフェースリンク１２２ａにルーチングする。同様に、光パスクロスコネクト装置１０１は、予備系光伝送路１４０から入ってきた波長多重光信号を、光スイッチ１０１ｂにより波長毎に予備系光伝送路１６０や予備系の出力インタフェースリンク１２２ｂにルーチングする。また、光パスクロスコネクト装置１０１は、現用系のインタフェースリンク１２１ａから入ってきた波長多重光信号を光スイッチ１０１ａにより波長毎に現用系光伝送路１５０に、予備系インタフェースリンク１２１ｂから入ってきた波長多重光信号を光スイッチ１０１ｂにより波長毎に予備系光伝送路１６０にそれぞれルーチングする。他の動作は図２８の場合と同様である。
【００９０】
(f-6) 第６の波長多重光伝送システムの動作
図３２は第６の波長多重光伝送システムの動作説明図であり、図２９と同一部分には同一符号を付している。波長多重光伝送システム１００，２００は、光パスクロスコネクト装置ＯＰＸＣとしてＷＰ方式のタイプＢ（図１８）の構成を有し、電気クロスコネクト装置ＥＸＣとして送信タイプＳ−４、受信タイプＲ−２を有している。
【００９１】
図２９の第３の波長多重光伝送システムと異なる点は、光パスクロスコネクト装置１０１が現用系光パスクロスコネクト装置１０１ａと予備系光パスクロスコネクト装置１０１ｂに分割されている点である。光パスクロスコネクト装置１０１は、現用系光伝送路１３０から入ってきた波長多重光信号を光スイッチ１０１ａにより波長毎に現用系光伝送路１５０や現用系インタフェースリンク１２２ａにルーチングする。同様に、光パスクロスコネクト装置１０１は、予備系光伝送路１４０から入ってきた波長多重光信号を、光スイッチ１０１ｂにより波長毎に予備系光伝送路１６０や予備系の出力インタフェースリンク１２２ｂにルーチングする。また、光パスクロスコネクト装置１０１は、現用系のインタフェースリンク１２１ａから入ってきた波長多重光信号を光スイッチ１０１ａにより波長毎に現用系光伝送路１５０に、予備系インタフェースリンク１２１ｂから入ってきた波長多重光信号を光スイッチ１０１ａにより波長毎に予備系光伝送路１６０にそれぞれルーチングする。他の動作は図２９の場合と同様である。
【００９２】
(f-7) 第７の波長多重光伝送システムの動作
図３３は第７の波長多重光伝送システムの動作説明図であり、図２７と同一部分には同一符号を付している。波長多重光伝送システム１００，２００は、光パスクロスコネクト装置ＯＰＸＣとしてＶＷＰ方式のタイプＣ（図１９）の構成を有し、電気クロスコネクト装置ＥＸＣとして送信タイプＳ−１、受信タイプＲ−１を有している。
【００９３】
光パスクロスコネクト装置１０１は、▲１▼現用系光伝送路１３０から入ってきた波長多重光信号を波長毎に、現用系光伝送路１５０や現用系インタフェースリンク１２２ａにルーチングし、▲２▼予備系光伝送路１４０から入ってきた波長多重光信号を波長毎に、予備系光伝送路１６０や予備系インタフェースリンク１２２ｂにルーチングし、▲３▼また、光分配器又は光分配スイッチ１２５により分配された後、現用系インタフェースリンク１２１ａより入ってきた波長多重光信号を波長毎に現用系光伝送路１５０にルーチングし、▲４▼光分配器又は光分配スイッチ１２５により分配された後、予備系インタフェースリンク１２１ｂから入ってきた波長多重光信号を波長毎に予備系光伝送路１６０にそれぞれルーチングする。又、光パスクロスコネクト装置１０１は必要に応じて波長変換を実行する。電気クロスコネクト装置２０１はセレクタ３０４ａ〜３０４ｂにより現用及び予備の無瞬断伝送路切替を行う。
【００９４】
例えば、第１の光伝送システム１００の電気クロスコネクト装置（ＥＸＣ１）より第２の光伝送システム２００の電気クロスコネクト装置（ＥＸＣ２）に信号を伝送する場合、電気クロスコネクト装置（ＥＸＣ１）は波長多重光信号をインタフェースリンク１２１ａに送出し、光分波器１２５は波長多重光信号を現用系及び予備系に分岐して現用系及び予備系インタフェースリンク１２１ａ、１２１ｂに送出する。
【００９５】
光パスクロスコネクト装置ＯＰＸＣ１は現用系インタフェースリンク１２１ａから入力した波長多重光信号を波長毎に現用系光伝送路１３１にルーチングし、予備系インタフェースリンク１２１ｂから入力した波長多重光信号を波長毎に予備系光伝送路１３２にルーチングする。第２の光伝送システム２００の光パスクロスコネクト装置ＯＰＸＣ２は現用系光伝送路１３１から入力した波長多重光信号を波長毎に現用系インタフェースリンク１２２ａにルーチングし、予備系光伝送路１３２から入力した波長多重光信号を波長毎に予備系インタフェースリンク１２２ｂにルーチングし、これにより電気クロスコネクト装置ＥＸＣ２に入力する。電気クロスコネクト装置ＥＸＣ２は現用系インタフェースリンク１２２ａから入力された波長多重光信号を選択し、ＡＴＭスイッチ（図示せず）で所望の出線にルーチングする。
【００９６】
かかる状態で、現用系光伝送路１３１に流れていた信号を予備系光伝送路１３２に切替える場合、第２の光伝送システム２００の電気クロスコネクト装置ＥＸＣ２におけるセレクタ３０４ａ〜３０４ｂは切替指示に基づいて予備系インタフェースリンク１２２ｂより入力された波長多重光信号を選択し、該信号をＡＴＭスイッチで所望の出線にルーチングする。この場合、位相調整用バッファ３０３ａ1〜３０３ａ2，３０３ｂ1〜３０３ｂ2において常時、現用系と予備系の信号位相が一致するように位相調整されているから、セルロスなく無瞬断で現用／予備の切り替えができる。
【００９７】
(f-8) 第８の波長多重光伝送システムの動作
図３４は第８の波長多重光伝送システムの動作説明であり、図３３と同一部分には同一符号を付している。波長多重光伝送システム１００，２００は、光パスクロスコネクト装置ＯＰＸＣとしてＷＰ方式のタイプＣ（図１９）の構成を有し、電気クロスコネクト装置ＥＸＣとして送信タイプＳ−２、受信タイプＲ−１を有している。
電気クロスコネクト装置２０１のＡＴＭスイッチ部（図示せず）より出力される電気信号を波長可変の電光変換部（Ｅ／Ｏ変換部）３０７ａ1′〜３０７ａ2′で所定の波長の光信号に変換し、光合流器３０８ａで合流してインタフェースリンク１２１ａに送出する以外は図３３と同様に動作する。
【００９８】
(f-9) 第９の波長多重光伝送システムの動作
図３５は第９の波長多重光伝送システムの動作説明図であり、図３３と同一部分には同一符号を付している。波長多重光伝送システム１００，２００は、光パスクロスコネクト装置ＯＰＸＣとしてＶＷＰ方式のタイプＤ（図２０）の構成を有し、電気クロスコネクト装置ＥＸＣとして送信タイプＳ−１、受信タイプＲ−１を有している。
【００９９】
図３５において図３３と異なる点は、光パスクロスコネクト装置１０１が現用系光パスクロスコネクト装置１０１ａと予備系光パスクロスコネクト装置１０１ｂに分割されている点である。光パスクロスコネクト装置１０１は、現用系光伝送路１３０から入ってきた波長多重光信号を光スイッチ１０１ａにより波長毎に現用系光伝送路１５０や現用系インタフェースリンク１２２ａにルーチングする。同様に、光パスクロスコネクト装置１０１は、予備系光伝送路１４０から入ってきた波長多重光信号を、光スイッチ１０１ｂにより波長毎に予備系光伝送路１６０や予備系の出力インタフェースリンク１２２ｂにルーチングする。また、光パスクロスコネクト装置１０１は、現用系のインタフェースリンク１２１ａから入ってきた波長多重光信号を光スイッチ１０１ａにより波長毎に現用系光伝送路１５０に、予備系インタフェースリンク１２１ｂから入ってきた波長多重光信号を光スイッチ１０１ｂにより波長毎に予備系光伝送路１６０にそれぞれルーチングする。他の動作は図３３の場合と同様である。
【０１００】
(f-10) 第１０の波長多重光伝送システムの動作
図３６は第１０の波長多重光伝送システムの動作説明図であり、図３４と同一部分には同一符号を付している。波長多重光伝送システム１００，２００は、光パスクロスコネクト装置ＯＰＸＣとしてＷＰ方式のタイプＤ（図２０）の構成を有し、電気クロスコネクト装置ＥＸＣとして送信タイプＳ−２、受信タイプＲ−１を有している。
【０１０１】
図３６におて図３４と異なる点は、光パスクロスコネクト装置１０１が現用系光パスクロスコネクト装置１０１ａと予備系光パスクロスコネクト装置１０１ｂに分割されている点である。光パスクロスコネクト装置１０１は、現用系光伝送路１３０から入ってきた波長多重光信号を光スイッチ１０１ａにより波長毎に現用系光伝送路１５０や現用系インタフェースリンク１２２ａにルーチングする。同様に、光パスクロスコネクト装置１０１は、予備系光伝送路１４０から入ってきた波長多重光信号を、光スイッチ１０１ｂにより波長毎に予備系光伝送路１６０や予備系の出力インタフェースリンク１２２ｂにルーチングする。また、光パスクロスコネクト装置１０１は、現用系のインタフェースリンク１２１ａから入ってきた波長多重光信号を光スイッチ１０１ａにより波長毎に現用系光伝送路１５０に、予備系インタフェースリンク１２１ｂから入ってきた波長多重光信号を光スイッチ１０１ｂにより波長毎に予備系光伝送路１６０にそれぞれルーチングする。他の動作は図３４の場合と同様である。
【０１０２】
(f-11) 第１１の波長多重光伝送システムの動作
図３７は第１１の波長多重光伝送システムの動作説明図であり、図２７と同一部分には同一符号を付している。波長多重光伝送システム１００，２００は、光パスクロスコネクト装置ＯＰＸＣとしてＶＷＰ方式のタイプＥ（図２１）の構成を有し、電気クロスコネクト装置ＥＸＣとして送信タイプＳ−１、受信タイプＲ−１を有している。
【０１０３】
光パスクロスコネクト装置１０１は、▲１▼現用系光伝送路１３０から入ってきた波長多重光信号を波長毎に、現用系光伝送路１５０や現用系インタフェースリンク１２２ａにルーチングし、▲２▼予備系光伝送路１４０から入ってきた波長多重光信号を波長毎に、予備系光伝送路１６０や予備系インタフェースリンク１２２ｂにルーチングし、▲３▼また、現用系インタフェースリンク１２１ａより入ってきた波長多重光信号を分配機能により波長毎に現用系光伝送路１５０及び予備系光伝送路１６０にルーチングする。又、光パスクロスコネクト装置１０１は必要に応じて波長変換を実行する。電気クロスコネクト装置２０１は切替指示に基づいてセレクタ３０４ａ〜３０４ｂにより現用及び予備の無瞬断伝送路切替を行う。
【０１０４】
例えば、第１の光伝送システム１００の電気クロスコネクト装置（ＥＸＣ１）より第２の光伝送システム２００の電気クロスコネクト装置（ＥＸＣ２）に信号を伝送する場合、電気クロスコネクト装置（ＥＸＣ１）は波長多重光信号をインタフェースリンク１２１ａ送出する。光パスクロスコネクト装置ＯＰＸＣ１は、分配機能により現用系インタフェースリンク１２１ａから入力した波長多重光信号を波長毎に現用系光伝送路１３１及び予備系光伝送路１３２にそれぞれにルーチングする。第２の光伝送システム２００の光パスクロスコネクト装置ＯＰＸＣ２は現用系光伝送路１３１から入力した波長多重光信号を波長毎に現用系インタフェースリンク１２２ａにルーチングし、予備系光伝送路１３２から入力した波長多重光信号を波長毎に予備系インタフェースリンク１２２ｂにルーチングして電気クロスコネクト装置ＥＸＣ２に入力する。電気クロスコネクト装置ＥＸＣ２は現用系インタフェースリンク１２２ａから入力された波長多重光信号を選択し、ＡＴＭスイッチ（図示せず）で所望の出線にルーチングする。
【０１０５】
かかる状態で、現用系光伝送路１３１に流れていた信号を予備系光伝送路１３２に切替える場合、第２の光伝送システム２００の電気クロスコネクト装置ＥＸＣ２におけるセレクタ３０４ａ〜３０４ｂは切替指示に基づいて予備系インタフェースリンク１２２ｂより入力された波長多重光信号を選択し、該信号をＡＴＭスイッチで所望の出線にルーチングする。この場合、位相調整用バッファ３０３ａ1〜３０３ａ2，３０３ｂ1〜３０３ｂ2において常時、現用系と予備系の信号位相が一致するように位相調整されているから、セルロスなく無瞬断で現用／予備の切り替えができる。
【０１０６】
(f-12) 第１２の波長多重光伝送システムの動作
図３８は第１２の波長多重光伝送システムの動作説明であり、図３７と同一部分には同一符号を付している。波長多重光伝送システム１００，２００は、光パスクロスコネクト装置ＯＰＸＣとしてＷＰ方式のタイプＥ（図２１）の構成を有し、電気クロスコネクト装置ＥＸＣとして送信タイプＳ−２、受信タイプＲ−１を有している。
電気クロスコネクト装置２０１のＡＴＭスイッチ部（図示せず）より出力される電気信号を波長可変の電光変換部（Ｅ／Ｏ変換部）３０７ａ1′〜３０７ａ2′で所定の波長の光信号に変換し、光合流器３０８ａで合流してインタフェースリンク１２１ａに送出する以外は図３８と同様に動作する。
【０１０７】
以上では無瞬断による現用／予備の切替動作について説明したが、具体的には保守時における現用／予備の切り替え制御、伝送路障害の復旧をした後に予備系から現用系への切り戻し制御等に適用できるものである。
以上、本発明を実施例により説明したが、本発明は請求の範囲に記載した本発明の主旨に従い種々の変形が可能であり、本発明はこれらを排除するものではない。
【０１０８】
【発明の効果】
以上、本発明によれば、光パスクロスコネクト装置と電気クロスコネクト装置間を、現用系と予備系の複数の入出力インタフェースリンクで接続し、該現用系及び予備系のインタフェースリンクを介して光パスクロスコネクト装置から電気クロスコネクト装置にそれぞれ現用系及び予備系の光信号を入力し、電気クロスコネクト装置で現用及び予備の無瞬断伝送路切り替えを行うようにしたから、電気処理により光伝送路の無瞬断切り替えができ、しかも、光パスクロスコネクト装置は無瞬断切り替えを行えるように現用系と予備系のパス張っておくだけでよいため、光位相調整機能や高速切り替え動作が不要となる。
【０１０９】
本発明によれば、光パスクロスコネクト装置を空間光スイッチを用いて構成し、該空間光スイッチを現用系と予備系に分割するようにしたから、光パスクロスコネクト装置内のスイッチ素子数を減らすことができる。
本発明によれば、光信号を電気クロスコネクト装置で現用系及び予備系に分配せず、インタフェースリンクに光分配器又は光分配スイッチを設け、該光分配器あるいは光分配スイッチで光信号を現用系及び予備系インタフェースリンクに分配するように構成したから、電気クロスコネクト装置の構成を簡単にすることができる。
【０１１０】
本発明によれば、光信号を電気クロスコネクト装置で現用系及び予備系に分配せず、光パスクロスコネクト装置を分配機能を持った空間光スイッチで構成し、該空間スイッチの分配機能により電気クロスコネクト装置から入ってきた光信号を現用系及び予備系光伝送路にルーチングするように構成したから、電気クロスコネクト装置と光パスクロスコネクト装置間のインタフェースリンク数を少なくすることができる。
本発明によれば、光信号が波長多重されている場合であっても、電気クロスコネクト装置と光パスクロスコネクト装置との間のインタフェースリンクを現用系と予備系を用いて相互接続することにより、電気処理による無瞬断伝送路切替が適用でき、光パスクロスコネクト装置に光位相調整機能や高速な切替動作が不要となるといった効果を奏し、この光パスクロスコネクト装置を用いた波多重光伝送システムの性能向上に寄与するところが大きい。
【図面の簡単な説明】
【図１】本発明の第１の原理説明図である。
【図２】本発明の第２の原理説明図である。
【図３】本発明の第１実施例の光伝送システムの構成図である。
【図４】１対１型空間光スイッチの構成図である。
【図５】１対Ｎ型空間光スイッチの構成図である。
【図６】電気クロスコネクト装置の構成図である。
【図７】本発明の第１実施例の伝送路切替動作説明図である。
【図８】第１変形例の光伝送システムの構成図である。
【図９】第１変形例の動作説明図である。
【図１０】第２変形例の光伝送システムの構成図である。
【図１１】電気クロスコネクト装置の構成図である。
【図１２】第２変形例の動作説明図である。
【図１３】第３変形例の光伝送システムの構成図である。
【図１４】第３変形例の動作説明図である。
【図１５】第４変形例の光伝送システムの構成図である。
【図１６】第４変形例の動作説明図である。
【図１７】本発明の第１の波長多重光伝送システムの構成図である。
【図１８】本発明の第２の波長多重光伝送システムの構成図である。
【図１９】本発明の第３の波長多重光伝送システムの構成図である。
【図２０】本発明の第４の波長多重光伝送システムの構成図である。
【図２１】本発明の第５の波長多重光伝送システムの構成図である。
【図２２】光パスクロスコネクト装置（ＷＰ方式）の構成図である。
【図２３】光パスクロスコネクト装置（ＶＷＰ方式）の構成図である。
【図２４】電気クロスコネクト装置の送信側の構成図である。
【図２５】電気クロスコネクト装置の受信側の構成図である。
【図２６】光パスクロスコネクト装置ＯＰＸＣのタイプＡ〜Ｅと光パス（ＷＰ方式／ＶＷＰ方式）並びに電気クロスコネクト装置ＥＸＣにおける送信タイプＳ−１〜Ｓ−４及び受信タイプＲ−１〜Ｒ−２の関係説明図表である。
【図２７】第１の波長多重光伝送システムの動作説明図である。
【図２８】第２の波長多重光伝送システムの動作説明図である。
【図２９】第３の波長多重光伝送システムの動作説明図である。
【図３０】第４の波長多重光伝送システムの動作説明図である。
【図３１】第５の波長多重光伝送システムの動作説明図である。
【図３２】第６の波長多重光伝送システムの動作説明図である。
【図３３】第７の波長多重光伝送システムの動作説明図である。
【図３４】第８の波長多重光伝送システムの動作説明図である。
【図３５】第９の波長多重光伝送システムの動作説明図である。
【図３６】第１０の波長多重光伝送システムの動作説明図である。
【図３７】第１１の波長多重光伝送システムの動作説明図である。
【図３８】第１２の波長多重光伝送システムの動作説明図である。
【図３９】光ネットワークの説明図である。
【図４０】ＯＰＸＣとＥＸＣ間の接続関係図である。
【図４１】従来装置の構成例を示すブロック図である。
【図４２】従来装置の動作説明図である。
【符号の説明】
１，２・・光伝送システム
１０・・光パスクロスコネクト装置
１３，１５・・現用系光伝送路
１４，１６・・予備系光伝送路
２０・・電気クロスコネクト
２０ａ・・光電変換部
２０ｂ・・位相調整部
２０ｃ・・セレクタ
２０ｄ・・ＡＴＭスイッチ
２０ｅ・・分配回路
２０ｆ・・電光変換部
２１ａ，２２ａ・・現用系インタフェースリンク
２１ｂ，２２ｂ・・予備系インタフェースリンク
【図１】
0003639383.tif 000002
【図２】
0003639383.tif 000003
【図３】
0003639383.tif 000004
【図４】
0003639383.tif 000005
【図５】
0003639383.tif 000006
【図６】
0003639383.tif 000007
【図７】
0003639383.tif 000008
【図８】
0003639383.tif 000009
【図９】
0003639383.tif 000010
【図１０】
0003639383.tif 000011
【図１１】
0003639383.tif 000012
【図１２】
0003639383.tif 000013
【図１３】
0003639383.tif 000014
【図１４】
0003639383.tif 000015
【図１５】
0003639383.tif 000016
【図１６】
0003639383.tif 000017
【図１７】
0003639383.tif 000018
【図１８】
0003639383.tif 000019
【図１９】
0003639383.tif 000020
【図２０】
0003639383.tif 000021
【図２１】
0003639383.tif 000022
【図２２】
0003639383.tif 000023
【図２３】
0003639383.tif 000024
【図２４】
0003639383.tif 000025
【図２５】
0003639383.tif 000026
【図２６】
0003639383.tif 000027
【図２７】
0003639383.tif 000028
【図２８】
0003639383.tif 000029
【図２９】
0003639383.tif 000030
【図３０】
0003639383.tif 000031
【図３１】
0003639383.tif 000032
【図３２】
0003639383.tif 000033
【図３３】
0003639383.tif 000034
【図３４】
0003639383.tif 000035
【図３５】
0003639383.tif 000036
【図３６】
0003639383.tif 000037
【図３７】
0003639383.tif 000038
【図３８】
0003639383.tif 000039
【図３９】
0003639383.tif 000040
【図４０】
0003639383.tif 000041
【図４１】
0003639383.tif 000042
【図４２】
0003639383.tif 000043